(57)【要約】【課題】カラー原稿と白黒原稿が混在する原稿束から画像情報を読み取って送信する場合でも、原稿１枚毎にカラー原稿読み取り／白黒原稿読み取りを指定するという煩雑な走査を省き、またカラー原稿はカラー画像情報として送信し、白黒原稿は白黒２値画像情報として送信して、送信時間を短縮するとともに、受信側の画像記憶装置の記憶領域を無駄にしてしまうことを防止すること。【解決手段】ＣＰＵ２００１は、スキャナ２０７０による原稿読み取り時にカラーと判別された原稿からはカラー画像情報と白黒２値画像情報の双方を読み取って保持し、白黒原稿と判別された原稿からは白黒２値画像情報のみを読み取って保持し、該保持される画像情報を送信する際、カラー画像を受信可能な送信先には前記原稿１枚毎のカラー判別結果に応じてカラー画像情報又は白黒２値画像情報を送信するように制御する構成を特徴とする。【選択図】　　　図１
2004072166.tif 000002
【特許請求の範囲】
【請求項１】
原稿を走査してカラー画像情報又は白黒２値画像情報を入力する読み取り手段と、前記読み取り手段により読み取られた画像情報を保持する保持手段と、前記保持手段に保持された画像情報を所定の通信媒体を介して送信可能な送信手段を有する複合複写装置において、
原稿読み取り時に原稿が白黒原稿かカラー原稿かを原稿１枚毎に判別するカラー／白黒原稿検知手段と、
カラーと判別された原稿からはカラー画像情報と白黒２値画像情報の双方を読み取って保持し、白黒原稿と判別された原稿からは白黒２値画像情報のみを読み取って保持するように制御する第１の制御手段と、
前記保持手段に保持される画像情報を送信する際、カラー画像を受信可能な送信先には前記原稿１枚毎のカラー判別結果に応じてカラー画像情報又は白黒２値画像情報を送信するように制御する第２の制御手段と、
を有することを特徴とする複合複写装置。
【請求項２】
前記第２の制御手段は、前記保持手段に保持される画像情報を送信する際、カラー画像を受信不可能な送信先には白黒２値画像情報を送信することを特徴とする請求項１記載の複合複写装置。
【請求項３】
原稿から読み取られた画像情報を送信する際に、カラー原稿として送信するカラー送信モード、白黒原稿として送信する白黒送信モード、カラー白黒混在原稿として送信する混在送信モードのいずれかを指示する送信モード指示手段を有し、
前記第２の制御手段は、前記カラー送信モードが指示された場合、カラー画像を受信可能な送信先にはカラー画像情報を送信し、カラー画像を受信不可能な送信先には白黒２値画像情報を送信し、また、前記白黒送信モードが指示された場合、白黒２値画像情報を送信し、また、混在送信モードが指示された場合、カラー画像を受信可能な送信先には前記原稿１枚毎のカラー判別結果に応じてカラー画像情報又は白黒２値画像情報を送信し、カラー画像を受信不可能な送信先には白黒２値画像情報を送信することを特徴とする請求項１又は２記載の複合複写装置。
【請求項４】
原稿読み取り時に原稿をカラー画像として読み取るカラー読取モード、白黒画像として読み取る白黒読取モード、原稿毎に前記カラー／白黒原稿検知手段の検知結果に応じてカラー画像又は白黒画像として読み取る検知読取モードのいずれかを指示する読み取りモード指示手段を有し、
前記第１の制御手段は、前記カラー読取モードが指示された場合、原稿からカラー画像情報と白黒２値画像情報の双方を読み取って保持し、また、前記白黒読取モードが指示された場合、原稿から白黒２値画像情報のみを読み取って保持し、また、検知読取モードが指示された場合、カラーと判別された原稿からはカラー画像情報と白黒２値画像情報の双方を読み取り、白黒原稿と判別された原稿からは白黒２値画像情報のみを読み取って保持するように制御することを特徴とする請求項１〜３のいずれかに記載の複合複写装置。
【請求項５】
前記送信手段は、メール送信，ファイル送信，ファックス送信が可能なことを特徴とする請求項１〜４のいずれかに記載の複合複写装置。
【請求項６】
原稿を走査してカラー画像情報又は白黒２値画像情報を入力する読み取り手段と、前記読み取り手段により読み取られた画像情報を保持する保持手段と、前記保持手段に保持された画像情報を所定の通信媒体を介して送信可能な送信手段を有する複合複写装置の制御方法において、
原稿読み取り時に原稿が白黒原稿かカラー原稿かを原稿１枚毎に判別するカラー／白黒原稿検知工程と、
カラーと判別された原稿からはカラー画像情報と白黒２値画像情報の双方を読み取って保持し、白黒原稿と判別された原稿からは白黒２値画像情報のみを読み取って保持する読み取り工程と、
該保持される画像情報を送信する際、カラー画像を受信可能な送信先には前記原稿１枚毎のカラー判別結果に応じてカラー画像情報又は白黒２値画像情報を送信する送信工程と、
を有することを特徴とする複合複写装置の制御方法。
【請求項７】
前記送信工程は、前記保持される画像情報を送信する際、カラー画像を受信不可能な送信先には白黒２値画像情報を送信することを特徴とする請求項６記載の複合複写装置の制御方法。
【請求項８】
原稿から読み取られた画像情報を送信する際に、カラー原稿として送信するカラー送信モード、白黒原稿として送信する白黒送信モード、カラー白黒混在原稿として送信する混在送信モードのいずれかを指示する送信モード指示工程を有し、
前記送信工程は、前記カラー送信モードが指示された場合、カラー画像を受信可能な送信先にはカラー画像情報を送信し、カラー画像を受信不可能な送信先には白黒２値画像情報を送信し、また、前記白黒送信モードが指示された場合、白黒２値画像情報を送信し、また、混在送信モードが指示された場合、カラー画像を受信可能な送信先には前記原稿１枚毎のカラー判別結果に応じてカラー画像情報又は白黒２値画像情報を送信し、カラー画像を受信不可能な送信先には白黒２値画像情報を送信することを特徴とする請求項６又は７記載の複合複写装置の制御方法。
【請求項９】
原稿読み取り時に原稿をカラー画像として読み取るカラー読取モード、白黒画像として読み取る白黒読取モード、原稿毎に前記カラー／白黒原稿検知手段の検知結果に応じてカラー画像又は白黒画像として読み取る検知読取モードのいずれかを指示する読取モード指示工程を有し、
前記読み取り工程は、前記カラー読取モードが指示された場合、原稿からカラー画像情報と白黒２値画像情報の双方を読み取って保持し、また、前記白黒読取モードが指示された場合、原稿から白黒２値画像情報のみを読み取って保持し、また、検知読取モードが指示された場合、カラーと判別された原稿からはカラー画像情報と白黒２値画像情報の双方を読み取り、白黒原稿と判別された原稿からは白黒２値画像情報のみを読み取って保持することを特徴とする請求項６〜８のいずれかに記載の複合複写装置の制御方法。
【請求項１０】
前記送信手段は、メール送信，ファイル送信，ファックス送信が可能なことを特徴とする請求項６〜９のいずれかに記載の複合複写装置の制御方法。
【請求項１１】
請求項６〜１０のいずれかに記載された複合複写装置の制御方法を実行するためのプログラム。
【請求項１２】
請求項６〜１０のいずれかに記載された複合複写装置の制御方法を実行するためのプログラムをコンピュータが読み取り可能に記憶した記憶媒体。
【発明の詳細な説明】
【０００１】
【発明の属する技術分野】
本発明は、カラー／白黒原稿読み取り画像、ＦＡＸ受信画像、Ｉｎｔｅｒｎｅｔ　ＦＡＸ受信画像、ＰＤＬ（Ｐａｇｅ　Ｄｅｓｃｒｉｐｔｉｏｎ　Ｌａｎｇｕａｇｅ）受信画像等の文書を管理する文書格納管理機能を搭載したネットワーク対応の複合複写装置および複合複写装置の制御方法およびプログラムおよび記憶媒体に関するものである。
【０００２】
【従来の技術】
従来のカラー原稿読み取りが可能なデジタル複合複写装置においては、ユーザが原稿読み取り時にカラー原稿読み取りか白黒原稿読み取りかの指定を行っていた。
【０００３】
さらに、カラー原稿読み取りを指定した場合、送信される原稿が白黒とカラー原稿が混在している場合においても全原稿がカラー画像として送信されていた。
【０００４】
【発明が解決しようとする課題】
しかしながら、上記従来のデジタル複合複写装置では、ユーザは原稿読み取り時に、読み取った原稿の送信先がカラー画像受信可能であるか否かを考慮して、カラー原稿読み取り／白黒原稿読み取りの指定をする必要があり、操作の手間がかかるという問題点があった。
【０００５】
また、上述したように、カラー原稿読み取りを指定した場合、送信される原稿が白黒とカラー原稿が混在している場合においても全原稿をカラー画像として送信していたため、カラー画像データに比べてデータ容量の小さい白黒画像データすらも、白黒画像データに比べデータ量が大きいカラー画像データとして送信していたため通信時間が余分にかかるばかりでなく、受信側の画像記憶装置の記憶領域を無駄に使用するという欠点があった。
【０００６】
本発明は、上記の問題点を解決するためになされたもので、本発明の目的は、原稿読み取り時にカラーと判別された原稿からはカラー画像情報と白黒２値画像情報の双方を読み取って保持し、白黒原稿と判別された原稿からは白黒２値画像情報のみを読み取って保持し、該保持される画像情報を送信する際、カラー画像を受信可能な送信先には前記原稿１枚毎のカラー判別結果に応じてカラー画像情報又は白黒２値画像情報を送信することにより、カラー原稿と白黒原稿が混在する原稿束から画像情報を読み取って送信する場合でも、従来のように原稿１枚毎にカラー原稿読み取り／白黒原稿読み取りを指定するという煩雑な走査も必要なく、カラー原稿はカラー画像情報として送信され、白黒原稿は白黒２値画像情報として送信され、送信時間を短縮することができるとともに、受信側の画像記憶装置の記憶領域を無駄にしてしまうことを防止することができる複合複写装置および複合複写装置の制御方法おうびプログラムおよび記憶媒体を提供することである。
【０００７】
【課題を解決するための手段】
本発明に係る第１の発明は、原稿を走査してカラー画像情報又は白黒２値画像情報を入力する読み取り手段（図１に示すスキャナ２０７０）と、前記読み取り手段により読み取られた画像情報を保持する保持手段（図１に示すＨＤＤ２００４）と、前記保持手段に保持された画像情報を所定の通信媒体を介して送信可能な送信手段（図１に示すネットワーク部２０１０，モデム２０５０）を有する複合複写装置において、原稿読み取り時に原稿が白黒原稿かカラー原稿かを原稿１枚毎に判別するカラー／白黒原稿検知手段（図１に示すＣＰＵ２００１，図４）と、カラーと判別された原稿からはカラー画像情報と白黒２値画像情報の双方を読み取って保持し、白黒原稿と判別された原稿からは白黒２値画像情報のみを読み取って保持するように制御する第１の制御手段（図１に示すＣＰＵ２００１）と、前記保持手段に保持される画像情報を送信する際、カラー画像を受信可能な送信先には前記原稿１枚毎のカラー判別結果に応じてカラー画像情報又は白黒２値画像情報を送信するように制御する第２の制御手段（図１に示すＣＰＵ２００１）とを有することを特徴とする。
【０００８】
本発明に係る第２の発明は、前記第２の制御手段（図１に示すＣＰＵ２００１）は、前記保持手段に保持される画像情報を送信する際、カラー画像を受信不可能な送信先には白黒２値画像情報を送信することを特徴とする。
【０００９】
本発明に係る第３の発明は、原稿から読み取られた画像情報を送信する際に、カラー原稿として送信するカラー送信モード、白黒原稿として送信する白黒送信モード、カラー白黒混在原稿として送信する混在送信モードのいずれかを指示する送信モード指示手段（図１７に示すカラーモード表示設定キー１７０８）を有し、前記第２の制御手段（図１に示すＣＰＵ２００１）は、前記カラー送信モードが指示された場合（図１７に示すカラーモード表示設定キー１７０８で「フルカラー」が選択された場合）、カラー画像を受信可能な送信先にはカラー画像情報を送信し、カラー画像を受信不可能な送信先には白黒２値画像情報を送信し、また、前記白黒送信モードが指示された場合（図１７に示すカラーモード表示設定キー１７０８で「モノクロ２値」が選択された場合）、白黒２値画像情報を送信し、また、混在送信モードが指示された場合（図１７に示すカラーモード表示設定キー１７０８で「ＡＣＳ（カラー／白黒原稿検知読み取り）」が選択された場合）、カラー画像を受信可能な送信先には前記原稿１枚毎のカラー判別結果に応じてカラー画像情報又は白黒２値画像情報を送信し、カラー画像を受信不可能な送信先には白黒２値画像情報を送信することを特徴とする。
【００１０】
本発明に係る第４の発明は、原稿読み取り時に原稿をカラー画像として読み取るカラー読取モード、白黒画像として読み取る白黒読取モード、原稿毎に前記カラー／白黒原稿検知手段の検知結果に応じてカラー画像又は白黒画像として読み取る検知読取モードのいずれかを指示する読み取りモード指示手段（図１７に示すカラーモード表示設定キー１７０８）を有し、前記第１の制御手段（図１に示すＣＰＵ２００１）は、前記カラー読取モードが指示された場合（図１７に示すカラーモード表示設定キー１７０８で「フルカラー」が選択された場合）、原稿からカラー画像情報と白黒２値画像情報の双方を読み取って保持し、また、前記白黒読取モードが指示された場合（図１７に示すカラーモード表示設定キー１７０８で「モノクロ２値」が選択された場合）、原稿から白黒２値画像情報のみを読み取って保持し、また、検知読取モードが指示された場合（図１７に示すカラーモード表示設定キー１７０８で「ＡＣＳ（カラー／白黒原稿検知読み取り）」が選択された場合）、カラーと判別された原稿からはカラー画像情報と白黒２値画像情報の双方を読み取り、白黒原稿と判別された原稿からは白黒２値画像情報のみを読み取って保持するように制御することを特徴とする。
【００１１】
本発明に係る第５の発明は、前記送信手段は、メール送信，ファイル送信，ファックス送信が可能なことを特徴とする。
【００１２】
本発明に係る第６の発明は、原稿を走査してカラー画像情報又は白黒２値画像情報を入力する読み取り手段と、前記読み取り手段により読み取られた画像情報を保持する保持手段と、前記保持手段に保持された画像情報を所定の通信媒体を介して送信可能な送信手段を有する複合複写装置の制御方法において、原稿読み取り時に原稿が白黒原稿かカラー原稿かを原稿１枚毎に判別するカラー／白黒原稿検知工程（図１８のステップＳ７０１−７）と、カラーと判別された原稿からはカラー画像情報と白黒２値画像情報の双方を読み取って保持し、白黒原稿と判別された原稿からは白黒２値画像情報のみを読み取って保持する読み取り工程（図１８のステップＳ７０１−４，Ｓ７０１−９）と、該保持される画像情報を送信する際、カラー画像を受信可能な送信先には前記原稿１枚毎のカラー判別結果に応じてカラー画像情報又は白黒２値画像情報を送信する送信工程（図２１のステップＳ７０２−１１）とを有することを特徴とする。
【００１３】
本発明に係る第７の発明は、前記送信工程（図２１のステップＳ７０２−１１）は、前記保持される画像情報を送信する際、カラー画像を受信不可能な送信先には白黒２値画像情報を送信することを特徴とする。
【００１４】
本発明に係る第８の発明は、原稿から読み取られた画像情報を送信する際に、カラー原稿として送信するカラー送信モード、白黒原稿として送信する白黒送信モード、カラー白黒混在原稿として送信する混在送信モードのいずれかを指示する送信モード指示工程（図２１のステップＳ７０２−１以前の図示しない工程）を有し、前記送信工程は、前記カラー送信モードが指示された場合、カラー画像を受信可能な送信先にはカラー画像情報を送信し（図２１のステップＳ７０２−５）、カラー画像を受信不可能な送信先には白黒２値画像情報を送信し（図２１のステップＳ７０２−７）、また、前記白黒送信モードが指示された場合、白黒２値画像情報を送信し（図２１のステップＳ７０２−９）、また、混在送信モードが指示された場合、カラー画像を受信可能な送信先には前記原稿１枚毎のカラー判別結果に応じてカラー画像情報又は白黒２値画像情報を送信し（図２１のステップＳ７０２−１１）、カラー画像を受信不可能な送信先には白黒２値画像情報を送信する（図２１のステップＳ７０２−１１）ことを特徴とする。
【００１５】
本発明に係る第９の発明は、原稿読み取り時に原稿をカラー画像として読み取るカラー読取モード、白黒画像として読み取る白黒読取モード、原稿毎に前記カラー／白黒原稿検知手段の検知結果に応じてカラー画像又は白黒画像として読み取る検知モードのいずれかを指示する読取モード指示工程（図１８のステップＳ７０１−１以前の図示しない工程）を有し、前記読み取り工程は、前記カラー読取モードが指示された場合、原稿からカラー画像情報と白黒２値画像情報の双方を読み取って保持し（図１８のステップＳ７０１−４）、また、前記白黒読取モードが指示された場合、原稿から白黒２値画像情報のみを読み取って保持し（図１８のステップＳ７０１−９）、また、検知読取モードが指示された場合、カラーと判別された原稿からはカラー画像情報と白黒２値画像情報の双方を読み取り、白黒原稿と判別された原稿からは白黒２値画像情報のみを読み取って保持する（図１８のステップＳ７０１−８，Ｓ７０１−４，Ｓ７０１−９）ことを特徴とする。
【００１６】
本発明に係る第１０の発明は、前記送信手段は、メール送信，ファイル送信，ファックス送信が可能なことを特徴とする。
【００１７】
本発明に係る第１１の発明は、請求項６〜１０のいずれかに記載された複合複写装置の制御方法を実行するためのプログラムであることを特徴とする。
【００１８】
本発明に係る第１２の発明は、請求項６〜１０のいずれかに記載された複合複写装置の制御方法を実行するためのプログラムを記憶媒体にコンピュータが読み取り可能に記憶させたことを特徴とする。
【００１９】
【発明の実施の形態】
本発明の実施形態に係る複合複写装置は、原稿蓄積の際にカラー原稿の場合はカラー画像データとして文書格納手段に蓄積し、白黒原稿の場合は白黒画像として文書管理手段に格納するものであり、文書格納手段に格納された文書を送信する際に、送信先がカラー画像と白黒画像を受信できる能力を有する場合は、カラー原稿はカラー画像として、白黒原稿は白黒画像として送信されるものであり、以下、詳細に説明する。
【００２０】
まず、図１〜図１０を参照して、本発明の複合画像処理装置における原稿読み取り手段、ネットワーク接続手段、文書格納管理手段も含め、本発明の通信装置のハードウェア構成を説明する。
【００２１】
〔ハード全体構成とネットワーク接続手段〕
図１は、本発明の一実施形態を示すデジタル複合複写装置（複合複写装置，複写機）の構成を示すブロック図である。
【００２２】
図において、２０００はコントローラユニット（Ｃｏｎｔｒｏｌｌｅｒ　Ｕｎｉｔ）で、画像入力デバイスであるスキャナ（Ｓｃａｎｎｅｒ）２０７０や画像出力デバイスであるプリンタ（Ｐｒｉｎｔｅｒ）２０９５と接続し、一方では、ＬＡＮ２０１１や公衆回線（ＷＡＮ）２０５１と接続することで、画像情報やデバイス情報の入出力を行う為のコントローラである。
【００２３】
コントローラユニット２０００において、２００１はＣＰＵで、システム全体を制御するコントローラである。２００２はＲＡＭで、ＣＰＵ２００１が動作するためのシステムワークメモリであり、画像データを一時記憶するための画像メモリでもある。２００３はＲＯＭで、ブートＲＯＭであり、システムのブートプログラムが格納されている。２００４はハードディスクドライブ（ＨＤＤ）で、システムソフトウェア、画像データを格納する。
【００２４】
２００６は操作部Ｉ／Ｆで、操作部（ＵＩ）２０１２とのインターフェース部であり、操作部２０１２に表示する画像データを操作部２０１２に対して出力する。また、操作部２０１２から本システム使用者が入力した情報を、ＣＰＵ２００１に伝える役割をする。
【００２５】
２０１０はネットワーク部（Ｎｅｔｗｏｒｋ）で、ＬＡＮ２０１１に接続し、情報の入出力を行う。２０５０はモデム（Ｍｏｄｅｍ）で、図示しないＮＣＵ（Ｎｅｔｗｏｒｋ　Ｃｏｎｔｒｏｌ　Ｕｎｉｔ）を介して公衆回線２０５１に接続し、ＦＡＸモデム、データモデム機能を搭載し、ＩＴＵ−Ｔ　Ｖ．８勧告、Ｖ．３４勧告、Ｔ．３０勧告等の通信プロトコルネゴシエーション、モデム制御手順、Ｇ３ＦＡＸ通信手順やＰＰＰ（Ｐｏｉｎｔ　ｔｏ　Ｐｏｉｎｔ　Ｐｒｏｔｏｃｏｌ）通信手順を搭載し、リモートＧ３ＦＡＸ端末やリモートのＬＡＮ上やインターネット上のＰＰＰサーバとの通信を行う。さらに、モデム（Ｍｏｄｅｍ）２０５０は、システムバス２００７に対して脱着可能な構成であり、脱着状態をＣＰＵ２００１が検知できる構成となっている。
【００２６】
以上のデバイスがシステムバス２００７上に配置される。次に、２００５はイメージバスインタフェース（Ｉｍａｇｅ　Ｂｕｓ　Ｉ／Ｆ）で、システムバス２００７と画像データを高速で転送する画像バス２００８を接続し、データ構造を変換するバスブリッジである。画像バス２００８は、ＰＣＩバスまたはＩＥＥＥ１３９４で構成される。画像バス２００８上には以下のデバイスが配置される。
【００２７】
２０６０はラスタイメージプロセッサ（ＲＩＰ）で、ページ記述言語（ＰＤＬ；Ｐａｇｅ　Ｄｅｓｃｒｉｐｔｉｏｎ　Ｌａｎｇｕａｇｅ）コードをビットマップイメージに展開する。
【００２８】
２０２０はデバイスＩ／Ｆ部で、画像入出力デバイスであるスキャナ２０７０やプリンタ２０９５とコントローラユニット２０００を接続し、画像データの同期系／非同期系の変換を行う。２０８０はスキャナ画像処理部で、入力画像データに対し補正、加工、編集を行う。２０９０はプリンタ画像処理部で、プリント出力画像データに対して、プリンタの補正、解像度変換等を行う。２０３０は画像回転部で、画像データの回転を行う。２０４０は画像圧縮伸長／密度変換部で、多値画像データはＪＰＥＧ、２値画像画像データはＪＢＩＧ、ＭＭＲ、ＭＨの圧縮伸長処理を行う。
【００２９】
〔画像入出力部〕
図２は、本発明の複合複写装置における画像入出力デバイスを示す図であり、図１に示した画像入力デバイスであるスキャナ２０７０及び画像出力デバイスであるプリンタ２０９５に対応する。
【００３０】
画像入力デバイスであるスキャナ２０７０は、原稿となる紙上の画像を照明し、ＣＣＤラインセンサ（図示せず）を走査することで、ラスタイメージデータ２０７１（図１）として電気信号に変換する。原稿用紙は原稿フィーダ２０７２のトレイ２０７３にセットし、装置使用者が操作部２０１２から読み取り起動指示することにより、ＣＰＵ２００１がスキャナ２０７０に指示を与え（２０７１）、フィーダ２０７２は原稿用紙を１枚ずつフィードし原稿画像の読み取り動作を行う。
【００３１】
画像出力デバイスであるプリンタ２０９５は、ラスタイメージデータ２０９６（図１）を用紙上の画像に変換する部分であり、その方式は感光体ドラムや感光体ベルトを用いた電子写真方式、微少ノズルアレイからインクを吐出して用紙上に直接画像を印字するインクジェット方式等があるが、どの方式でも構わない。プリント動作の起動は、ＣＰＵ２００１からの指示２０９６によって開始する。プリンタ２０９５には、異なる用紙サイズまたは異なる用紙向きを選択できるように複数の給紙段を持ち、それに対応した用紙カセット２１０１、２１０２、２１０３、２１０４がある。また、排紙トレイ２１１１は印字し終わった用紙を受けるものである。
【００３２】
〔操作部〕
図３は、図１に示した操作部２０１２の構成を示す平面図である。
【００３３】
図において、２０１３はＬＣＤ表示部で、ＬＣＤ上にタッチパネルシートが貼られており、システムの操作画面を表示するとともに、表示してあるキーが押されるとその位置情報をＣＰＵ２００１に伝える。２０１４はスタートキーで、原稿画像の読み取り動作を開始する時などに用いる。このスタートキー２０１４の中央部には、緑と赤の２色ＬＥＤ２０１８があり、その色によってスタートキー２０１４が使える状態にあるかどうかを示す。
【００３４】
２０１５はストップキーで、稼働中の動作を止める働きをする。２０１６はＩＤキーで、使用者のユーザＩＤを入力する時に用いる。２０１７はリセットキーで、操作部からの設定を初期化する時に用いる。
【００３５】
〔スキャナ画像処理部〕
図４は、図１に示したスキャナ画像処理２０８０の構成を示すブロック図である。
【００３６】
図において、２０５１はマスキング部で、スキャナ２０７０から入力されデバイスＩ／Ｆ部２０２０，画像バス２００８及びスキャナ画像処理部２０８０内の図示しない画像バスＩ／Ｆコントローラを介して入力されたＲＧＢ各８ｂｉｔの輝度信号をＣＣＤのフィルタ色に依存しない標準的なＲＧＢ色信号に変換する。２５０２は変倍部で、マスキング部２０５１から入力されたＲＧＢ信号に対して、変倍の必要がある場合は変倍処理を行う。２５０３はフィルタ部で、変倍部２５０２から入力されたＲＧＢ信号に対して、画像をぼかしたり、メリハリをつける等の画像処理を行う。２５０４はガンマ変換部で、フィルタ部２５０３より入力されたＲＧＢ信号に対して、画像全体の濃度を濃く或いは薄くするように画像処理を行う。
【００３７】
２５０５は色空間変換部で、原稿がカラーか白黒かを判断するために変倍前の画像信号（マスキング部２０５１から入力されたＲＧＢ信号）に対して、公知のＬａｂに変換を行い、色信号成分を表すａ，ｂ信号を出力する。
【００３８】
２５０６は比較器で、色空間変換部２５０５から出力される色信号成分を表すａ，ｂ信号と所定のレベル（閾値）との比較を行い、ａ，ｂ信号が所定のレベル以上であれば有彩色、所定のレベル未満であれば無彩色として１ｂｉｔの判定信号を出力する。２５０７はカウンタで、比較器２５０６からの出力をカウント（計測）する。
【００３９】
そして、ガンマ変換部２５０４より出力されるＲＧＢ信号及びカウンタにより計測されるカウント値は、図示しない画像バスＩ／Ｆコントローラを介して画像バス２００８に転送される。
【００４０】
これにより、ＣＰＵ２００１は、読み取られる原稿がカラー原稿であるか、白黒原稿であるかを判別することができる。
【００４１】
〔プリンタ画像処理部〕
図５は、図１に示したプリンタ画像処理部２０９０の構成を示すブロック図である。
【００４２】
図において、２０９１は画像バスＩ／Ｆコントローラで、画像バス２００８と接続し、そのバスアクセスシーケンスを制御する働きと、プリンタ画像処理部２０９０内の各デバイスの制御及びタイミングを発生させる。２０９２は解像度変換部で、ネットワーク部（Ｎｅｔｗｏｒｋ）２０１１あるいは公衆回線２０５１から来た画像データを、プリンタ２０９５の解像度に変換するための解像度変換を行う。２０９３はスムージング処理部で、解像度変換後の画像データのジャギー（斜め線等の白黒境界部に現れる画像のがさつき）を滑らかにする処理を行う。
【００４３】
〔画像圧縮伸長／密度変換部〕
図６は、図１に示した画像圧縮伸長／密度変換部２０４０の構成を示すブロック図である。
【００４４】
この画像圧縮伸長／密度変換部２０４０は、生画像データをＭＭＲ（Ｍｏｄｉｆｉｅｄ　Ｍｏｄｉｆｉｅｄ　Ｒｅａｄ），ＭＲ（Ｍｏｄｉｆｉｅｄ　Ｒｅａｄ），ＭＨ（Ｍｏｄｉｆｉｅｄ　Ｈａｈｕｍａｎ），ＪＢＩＧ（Ｊｏｉｎｔ　Ｂｉ−ｌｅｖｅｌ　Ｉｍａｇｅ　ｅｘｐｅｒｔｓ　Ｇｒｏｕｐ），ＪＰＥＧ（Ｊｏｉｎｔ　Ｐｈｏｔｏｇｒａｐｈｉｃ　Ｅｘｐｅｒｔｓ　Ｇｒｏｕｐ）等の画像符号データに圧縮する機能、ＭＭＲ，ＭＲ，ＭＨ，ＪＢＩＧ，ＪＰＥＧ等の画像符号データを生画像データに伸長する機能、及び生画像データの画素密度変換を行う画素密度変換機能をもつ。画素密度変換とは、例えば、Ａ３画像をＡ４画像に変換する画像サイズ変換と４００ＤＰＩ（Ｄｏｔｓ　Ｐｅｒ　Ｉｎｃｈ）×４００ＬＰＩ（Ｌｉｎｅｓ　Ｐｅｒ　Ｉｎｃｈ）を２００ＤＰＩ×２００ＬＰＩの解像度に変換する機能をもつ。
【００４５】
図において、２０４１は画像バスＩ／Ｆコントローラで、画像バス２００８と接続し、そのバスアクセスシーケンスを制御する働き、入力バッファ２０４２，出力バッファ２０４５とのデータのやりとりを行うためのタイミング制御及び、画像圧縮・伸長・画素密度変換部２０４３に対するモード設定などの制御を行う。以下に画像圧縮処理部の処理手順を示す。
【００４６】
画像バス２００８を介して、ＣＰＵ２００１から画像バスＩ／Ｆコントローラ２０４１に画像圧縮、伸長または画素密度変換制御のための設定を行う。この設定により画像バスＩ／Ｆコントローラ２０４１は画像圧縮・伸長・画素密度変換部２０４３に対して画像圧縮、伸長または画素密度変換に必要な設定を行う。必要な設定を行った後に、再度ＣＰＵ２００１から画像バスＩ／Ｆコントローラ２０４１に対して生画像データまたは画像符号データの転送の許可を行う。この許可に従い、画像バスＩ／Ｆコントローラ２０４１はＲＡＭ２００２もしくは画像バス２００８上の各デバイスから画像データの転送を開始する。
【００４７】
受け取った画像データは入力バッファ２０４２に一時格納され、画像圧縮・伸長・画素密度変換部２０４３の画像データ要求に応じて一定のスピードで生画像データまたは画像符号データを転送する。この際、入力バッファは画像バスＩ／Ｆコントローラ２０４１と、画像圧縮部・伸長・画素密度変換部２０４３の両者の間で、生画像データまたは画像符号データを転送できるかどうかを判断し、画像バス２００８からの生画像データまたは画像符号データの読み込み及び、画像圧縮・伸長・画素密度変換部２０４３への生画像データまたは画像符号データの書き込みが不可能である場合は、データの転送を行わないような制御を行う（以後このような制御をハンドシェークと呼称する）。
【００４８】
画像圧縮・伸長・画素密度変換部２０４３は受け取った生画像データまたは画像符号データを、一旦ＲＡＭ２０４４に格納する。画像圧縮を施された画像データは直ちに出力バッファ２０４５に送られる。出力バッファ２０４５では、画像バスＩ／Ｆコントローラ２０４１及び画像圧縮・伸長・画素密度変換部２０４３とのハンドシェークを行い、生画像データまたは画像符号データを画像バスＩ／Ｆコントローラ２０４１に転送する。
【００４９】
画像バスＩ／Ｆコントローラ２０４１では転送された圧縮，伸長または画素密度変換された生画像データまたは画像符号データをＲＡＭ２００２もしくは画像バス２００８上の各デバイスにデータを転送する。こうした一連の処理は、ＣＰＵ２００１からの処理要求が無くなるまで（必要なページ数の処理が終わったとき）、もしくはこの画像圧縮伸長・画素密度変換部２０４３から停止要求が出るまで（圧縮及び伸長時のエラー発生時等）繰り返される。
【００５０】
〔画像回転部〕
図７は、図１に示した画像回転部２０３０の構成を示すブロック図であり、図８，図９は、図１に示した画像回転部２０３０の画像回転処理を説明するための模式図である。
【００５１】
図において、２０３１は画像バスＩ／Ｆコントローラで、画像バス２００８と接続し、そのバスシーケンスを制御する働き、画像回転処理部２０３２にモード等を設定する制御及び、画像回転部２０３２に画像データを転送するためのタイミング制御を行う。以下に画像回転部の処理手順を示す。
【００５２】
画像バス２００８を介して、ＣＰＵ２００１から画像バスＩ／Ｆコントローラ２０３１に画像回転制御のための設定を行う。この設定により画像バスＩ／Ｆコントローラ２０４１は画像回転部２０３２に対して画像回転に必要な設定（例えば、画像サイズや回転方向・角度等）を行う。必要な設定を行った後に、再度ＣＰＵ２００１から画像バスＩ／Ｆコントローラ２０３１に対して画像データ転送の許可を行う。この許可に従い、画像バスＩ／Ｆコントローラ２０３１はＲＡＭ２００２もしくは画像バス２００８上の各デバイスから画像データの転送を開始する。尚、ここでは３２ｂｉｔをそのサイズとし回転を行う画像サイズを３２×３２（ｂｉｔ）とし、又、画像バス２００８上に画像データを転送させる際に３２ｂｉｔを単位とする画像転送を行うものとする（扱う画像は２値を想定する）。
【００５３】
上述のように、３２×３２（ｂｉｔ）の画像を得るためには、上述の単位データ転送を３２回行う必要があり、且つ不連続なアドレスから画像データを転送する必要がある。（図８参照）
【００５４】
不連続アドレッシングにより転送された画像データは、読み出し時に所望の角度に回転されているように、ＲＡＭ２０３３に書き込まれる。例えば、９０度反時計方向回転であれば、最初に転送された３２ｂｉｔの画像データを、図９に示すようにＹ方向に書き込んでいく。読み出し時にＸ方向に読み出すことで、画像が回転される。
【００５５】
３２×３２（ｂｉｔ）の画像回転（ＲＡＭ２０３３への書き込み）が完了した後、画像回転部２０３２はＲＡＭ２０３３から上述した読み出し方法で画像データを読み出し、画像バスＩ／Ｆコントローラ２０３１に画像を転送する。
【００５６】
回転処理された画像データを受け取った画像バスＩ／Ｆコントローラ２０３１は、連続アドレッシングを以て、ＲＡＭ２００２もしくは画像バス２００８上の各デバイスにデータを転送する。
【００５７】
こうした一連の処理は、ＣＰＵ２００１からの処理要求が無くなるまで（必要なページ数の処理が終わったとき）繰り返される。
【００５８】
〔デバイスＩ／Ｆ部〕
図１０は、図１に示したデバイスＩ／Ｆ部２０２０の構成を示すブロック図である。
【００５９】
図において、２０２１は画像バスＩ／Ｆコントローラで、画像バス２００８と接続し、そのバスアクセスシーケンスを制御する働きと、デバイスＩ／Ｆ部２０２０内の各デバイスの制御及びタイミングを発生させる。また、画像バスＩ／Ｆコントローラ２０２１は、外部のスキャナ２０７０及びプリンタ２０９５への制御信号を発生させる。
【００６０】
２０２２はスキャンバッファで、スキャナ２０７０から送られてくる画像データを一時保存し、画像バス２００８に同期させて画像データを出力する。２０２３はシリアルパラレル・パラレルシリアル変換部で、スキャンバッファ２０２２に保存された画像データを順番に並べて、あるいは分解して、画像バス２００８に転送できる画像データのデータ幅に変換する。
【００６１】
２０２４はパラレルシリアル・シリアルパラレル変換部で、画像バス２００８から転送された画像データを分解して、あるいは順番に並べて、プリントバッファ２０２５に保存できる画像データのデータ幅に変換する。プリントバッファ２０２５は、画像バス２００８から送られてくる画像データを一時保存し、プリンタ２０９５に同期させて画像データを出力する。
【００６２】
まず、画像スキャン時の処理手順を以下に示す。
【００６３】
スキャナ２０７０から送られてくる画像データをスキャナ２０７０から送られてくるタイミング信号に同期させて、スキャンバッファ２０２２に保存する。そして、画像バス２００８がＰＣＩバスの場合には、バッファ内に画像データが３２ビット以上入ったときに、画像データを先入れ先出しで３２ビット分、バッファからシリアルパラレル・パラレルシリアル変換部２０２３に送り、３２ビットの画像データに変換し、画像バスＩ／Ｆコントローラ２０２１を通して画像バス２００８上に転送する。
【００６４】
また、画像バス２００８がＩＥＥＥ１３９４の場合には、バッファ内の画像データを先入れ先出しで、バッファからシリアルパラレル・パラレルシリアル変換部２０２３に送り、シリアル画像データに変換し、画像バスＩ／Ｆコントローラ２０２１を通して画像バス２００８上に転送する。
【００６５】
次に、画像プリント時の処理手順を以下に示す。
【００６６】
画像バス２００８がＰＣＩバスの場合には、画像バス２００８から送られてくる３２ビットの画像データを画像バスＩ／Ｆコントローラ２０２１で受け取り、パラレルシリアル・シリアルパラレル変換部２０２４に送り、プリンタ２０９５の入力データビット数の画像データに分解し、プリントバッファ２０２５に保存する。
【００６７】
また、画像バス２００８がＩＥＥＥ１３９４の場合には、画像バス２００８からおくられてくるシリアル画像データを画像バスＩ／Ｆコントローラ２０２１で受け取り、パラレルシリアル・シリアルパラレル変換部２０２４に送り、プリンタ２０９５の入力データビット数の画像データに変換し、プリントバッファ２０２５に保存する。そして、プリンタ２０９５から送られてくるタイミング信号に同期させて、バッファ内の画像データを先入れ先出しで、プリンタ２０９５に送る。
【００６８】
〔文書格納管理手段〕
以下、図１１〜図１９を用いて、本発明のデジタル複合複写機における文書格納管理手段について説明する。なお、文書管理データや画像データは、ハード構成上、図１に示したＲＡＭ２００２上およびＨＤＤ２００４上に格納される。また、この文書格納管理手段では、同一原稿に対して、カラー画像、白黒２値画像、グレースケール画像を格納管理するものであり、まず、この構成について説明する。
【００６９】
同一原稿に対して複数の画像データの生成は、本実施形態では、カラー原稿読み取り時に、スキャナ２０７０によりカラー画像と白黒２値画像で２回スキャンする。また、その他の画像データ生成方法としては、本実施形態では割愛するが、カラー原稿画像の読み取りの後にＨＤＤ２００４もしくはＲＡＭ２００２に格納されたカラー画像データから白黒２値画像データを生成するように構成してもよい。
【００７０】
図１１は、本発明のデジタル複合複写機において文書属性を管理するための文書管理テーブルの構造を示す構造図である。
【００７１】
図において、１１００は文書管理テーブルで、複数の文書コントロールブロックＤ＿ＩＤ＿０〜Ｄ＿ＩＤ＿ｎの配列で構成される。
【００７２】
各文書コントロールブロックは、状態１１０１，被参照カウンタ１１０２，文書情報１１０３，キュー接続子１１０４，共通データ１１０５，ユーザデータ１１０６のメンバで構成され、ＨＤＤ２００４もしくはＲＡＭ２００２に格納されている。
【００７３】
文書が文書格納管理手段（ＨＤＤ２００４もしくはＲＡＭ２００２）に格納されている場合は、対応する文書コントロールブロック内の状態１１０１に「使用中」を示すデータが格納されている。
【００７４】
また、被参照カウンタ１１０２は、同一文書を複数のジョブで共有するための仕組みを実現するものの１つで、文書格納格納手段から同一文書に対し複数の送信ジョブやプリントジョブが投入された場合の同一文書の参照数を管理するために用いられ、参照数を示すデータが格納される。
【００７５】
文書の消去が文書格納管理手段に対して指示されたとき、該当文書の被参照カウンタ１１０２が「−１」した結果「０」になった時点で文書が消去され、状態１１０１が「未使用」を示すデータに変更される。
【００７６】
また、文書情報１１０３は、文書属性１１０３−１，ページ数１１０３−２，受付番号１１０３−３，サブＩＤ数１１０３−４，＜予約＞１１０３−５のメンバで構成される。
【００７７】
まず、文書属性１１０３−１は、文書の属性情報を示すものであり、詳細は後述する図１２に示す。また、ページ数１１０３−２は、文書に含まれる画像枚数を示す。さらに、受付番号１１０３−３は、文書が生成されたときの管理通し番号であり、オペレータが自分で生成した文書の識別を行うために用いる。例えば、当該文書に対し送信ジョブやプリントジョブを実行した場合にジョブにどの文書が含まれるか否かをユーザが識別できるようにジョブリストに表示したり、ジョブ履歴や文書格納管理手段において後述する図３７に示すボックス内画面の文書リスト３７０１から文書を選択後に「詳細情報」ボタン３７０４の押下で表示される情報を格納している。
【００７８】
また、サブＩＤ数１１０３−４は、本発明において重要な管理データであり、同一原稿に対して管理される画像枚数がセットされている。例えば、カラー画像、白黒２値画像が格納されている場合は「２」となる。
【００７９】
キュー接続子１１０４は、最初のキューＩＤ１１０４−１，最後のキューＩＤ１１０４−２のメンバで構成される。共通データ１１０５の詳細については、後述する図１３で示す。
【００８０】
図１２は、図１１に示した文書属性１１０３−１を詳細に示す図である。
【００８１】
図に示すように、小さいビットから順に、当該文書に対して、プロファイル（ＰＲＯＦＩＬＥ）あり／なしを示すビット１２０１，ＪＯＢあり／なしを示すビット１２０２，白黒２値画像「Ｂ／Ｗ」が含まれるか／否かを示すビット１２０３，カラー画像「ＣＯＬＯＲ」が含まれるか／否かを示すビット１２０４，ＰＬＡＮＥ（ＯＦＦ）／ＭＩＸＥＤ（ＯＮ）を示すビット１２０５，全頁定型（ＯＦＦ）／非定型あり（ＯＮ）を示すビット１２０６，ＰＤＬ処理種別（ｄｏｎ’ｔｃａｒｅ／ＬＩＰＳ（登録商標）／ＰＳ／ＰＣＬＸＬ／ＰＣＬ５Ｅ）を示すビット１２０７等のビット列で構成されている。
【００８２】
図１３は、図１１に示した共通データ１１０５を詳細に示す図である。
【００８３】
図に示すように、共通データ１１０５は、文書作成者１３０１，発信人名称１３０２，発信人名称タイプ１３０３，文書名１３０４，文書名タイプ１３０５，文書日付１３０６，ドキュメント順１３０７，ビット情報１３０８のメンバで構成される。
【００８４】
文書作成者１３０１は、文書が生成された際の情報を管理するためのデータ領域であり、部門コード１３０１−１，コンポーネント１３０１−２，＜予約＞１３０１−３のメンバで構成される。
【００８５】
部門コード１３０１−１は、オペレータが本発明のデジタル複合複写機を操作する際に入力するオペレータが所属する部門コードであり、デジタル複合複写機の使用状況を部門管理するためのデータである。例えば、部門毎のプリント枚数や通信ジョブを管理するために用いる。また、部門コード１３０１−１は、文書格納管理手段が管理する文書の文書リスト上、ある文書がどの部門で生成されたものなのかを識別するために用いられ、後述する図３７に示すボックス内画面の文書リスト３７０１の文書を選択後に、詳細情報ボタン３７０４の押下で表示される。
【００８６】
コンポーネント１３０１−２は、デジタル複合複写機内のどの機能部位（コンポーネント）で文書を生成したかを識別するためのデータ領域である。例えば、原稿読み取り文書なら「ＳＣＡＮ」、ＦＡＸ受信した文書ならば「ＦＡＸ」がセットされる。
【００８７】
発信人名称１３０２は、例えば、後述する図３８に示す送信設定画面において、原稿読み取り時に送信モード指定部である送信者名設定ボタン３８０３で設定した値がセットされ、後述する図３７に示すボックス内画面の文書リスト３７０１から文書を選択後に詳細情報ボタン３７０４の押下で表示される。
【００８８】
文書名１３０４は、例えば、ＦＡＸ受信時に遠隔ＦＡＸから受信した発信人名称文字列または電話番号文字列が後述する図３７に示すボックス内画面の文書リスト３７０１で表示される。
【００８９】
文書日付１３０６は、文書の生成日付時秒がセットされ、後述する図３７に示すボックス内画面の文書リスト３７０１で表示される。
【００９０】
発信人名称タイプ１３０３，文書名タイプ１３０５には、発信人名称１３０２，文書名１３０４が何れのコードで示されているかを示すデータ、Ｕｎｋｎｏｗｎ／ＡＳＣＩＩ／ＣＦ−Ｒ（ＦＡＸ２３０Ｖ特殊コード）／ＳＨＩＦＴ−ＪＩＳ／Ｌａｔｉｎ−１／Ｌａｔｉｎ−２／ＪＩＳ８の何れかが格納される。
【００９１】
ドキュメント順１３０７は、ドキュメントが昇順／降順であるかを示す値がセットされる。
【００９２】
図１４は、本発明のデジタル複合複写機において文書格納管理手段が管理する画像１枚ごとのページ情報を管理するテーブルを示す図である。
【００９３】
図において、１４００はページ管理テーブルで、複数のページコントロールブロックＰ＿ＩＤ＿０〜Ｐ＿ＩＤ＿ｎの配列で構成される。
【００９４】
各ページコントロールブロックは、状態１４０１，＜予約＞１４０２，ページ情報１４０３，ファイルＩＤ１４０４，共通データ１４０５，ユーザデータ１４０６のメンバで構成される。
【００９５】
画像が文書格納管理手段（ＨＤＤ２００４もしくはＲＡＭ２００２）に格納されている場合は、対応するページコントロールブロックの状態１４０１が「使用中」となる。
【００９６】
また、ページ情報１４０３は、画像属性を管理する管理データ群であり、サブＩＤ属性１４０３−１，ページステータス１４０３−２，＜予約＞１４０３−３のメンバで構成される。
【００９７】
サブＩＤ属性１４０３−１は、本発明における重要な管理データであり、同一原稿に対して管理される画像枚数分の属性データが配列で管理されており、各属性データの詳細は、図１５に示すように、画像１枚あたりのファイルフォーマット種別情報、例えばＴＩＦＦ（Ｔａｇｇｅｄ　Ｉｍａｇｅ　Ｆｉｌｅ　Ｆｏｒｍａｔ）（２値）／ＪＦＩＦ（又はＪＰＥＧ）／ＲＡＷ／ＴＩＦＦ（ＴＥＸＴ）等がセットされる。
【００９８】
また、ファイルＩＤ１４０４は、ＨＤＤ２００４に格納される画像ファイルを特定するためのファイルＩＤがセットされ、同一原稿に対して管理される画像枚数分の領域が確保されている。
【００９９】
共通データ１４０５は、画像（イメージ）属性を管理するための管理データ領域であり、同一原稿に対して管理される画像枚数分の領域が確保されている。なお、共通データ１４０５の詳細は後述する図１６に示される。
【０１００】
図１６は、図１４に示した共通データ１４０５を詳細に示す図である。
【０１０１】
図に示すように共通データ１４０５は、配列で管理されるイメージ属性１６００により構成される。
【０１０２】
イメージ属性１６００は、カラー属性１６０１，ＡＣＳ結果１６０２，Ｂｉｔ／Ｐｉｘｅｌ１６０３，天地情報１６０４，解像度（主走査）１６０５，解像度（副走査）１６０６，画素数（主走査）１６０７，画素数（副走査）１６０８，余白量１６０９，圧縮方式１６１０，画像種別１６１１，ビット情報１６１２，用紙サイズコード１６１３，読取原稿サイズ１６１４，ユーザ定義サイズ（主走査）１６１５，ユーザ定義サイズ（副走査）１６１６，オフセット（主走査）１６１７，オフセット（副走査）１６１８，ヘッダ長１６１９，＜予約＞１６２０のメンバで構成される。
【０１０３】
カラー属性１６０１には、Ｕｎｋｎｏｗｎ／「Ｂ／Ｗ」／ＲＧＢ／ＣＭＹＫ／ＳＥＮＤのいずれかがセットされる。なお、Ｕｎｋｏｗｎは、画像データがないことを意味し、「Ｂ／Ｗ」はコピー用ガンマ調整画像を意味し、ＳＥＮＤは送信用ガンマ調整画像を意味する。ＡＣＳ結果１６０２には、「ｄｏｎ’ｔ　ｃａｒｅ」／「Ｂ／Ｗ」／Ｃｏｌｏｒのいずれかがセットされる。
【０１０４】
天地情報１６０４には、ページの天地情報として、上／下／左／右のいずれかがセットされる。圧縮方式１６１０には、ＲＡＷ／ＪＰＥＧ／ＪＢＩＧ／ＭＨ／ＭＲ／ＭＭＲ等の圧縮方式がセットされる。画像種別１６１１には、文字／文字・写真／写真／印画紙写真／不定のいずれかがセットされる。
【０１０５】
ビット情報１６１２の各ビットは、ｂ０：ＦｉｌｌＯｒｄｅｒ（１＝ＬＳＢファースト），ｂ１：画像ＦＩＸ，ｂ２：主走査非定型，ｂ３：受信エラー，ｂ４：白黒判別（１＝ＢｌａｃｋＩｓＺｅｒｏ），ｂ５：ＳＳＴ（スムージング），ｂ６：省トナーモード，ｂ７：原稿（１＝裏面）のように構成される。
【０１０６】
ヘッダ長１６１９には、ファイルの先頭からイメージデータまでのバイト数がセットされる。
【０１０７】
〔原稿モード指定手段〕
以下、図１７，図１８を参照して、本発明の原稿モード指定手段について説明する。
【０１０８】
図１７は、本発明の複合複写装置において、原稿読み取り属性をセットするための読込設定操作画面の一例を示す模式図であり、図２に示したスキャナ２０７０に原稿をセットし、文書格納管理手段に原稿読み取り画像を格納する際に図３に示した操作部２０１２のＬＣＤ表示部２０１３に表示されるものである。
【０１０９】
図において、１７０１は読取モードリストで、読取カラーモードと読取解像度を設定することができる。１７０２は下スクロールキー、１７０３は上スクロールキーであり、読取モードリストの１画面で表示できるリスト数を超える場合に、読取モードリストを上下にスクロールするときに使用する。
【０１１０】
１７０４は登録／消去キーで、設定内容表示１７０５で設定されている読取属性を読取モードとして読取モードリスト１７０１に登録する場合や、読取モードリスト１７０１に登録された読取モードを削除する場合に使用する。
【０１１１】
１７０６は、読取サイズ表示設定キー１７０７で設定された読取サイズが表示される。１７０８はカラーモード表示設定キーで、読取カラーモード（白黒原稿として読み取る「モノクロ２値」，カラー原稿として読み取る「フルカラー」，カラー／白黒検知結果に基づいて読み取る「ＡＣＳ（カラー／白黒原稿検知読み取り）」）を設定し、該設定された読取カラーモードを表示する。１７０９は解像度表示設定キーで、読取解像度を設定し、該設定された解像度を表示する。
【０１１２】
１７１０は濃度表示で、現在の原稿読取濃度が分かるようになっており、左側が濃度が薄く、右側が濃度が濃いことを示す。また、濃度表示１７１０は、うすくキー１７１１、こくキー１７１３と連動して表示が変化するようになっている。うすくキー１７１１は、濃度を薄くしたい場合に使用する。こくキー１７１３は、濃度を濃くしたい場合に使用する。１７１２は自動キーであり、自動的に画像読取濃度を決定するモードを使用する場合に使用する。
【０１１３】
１７１４は原稿タイプ表示設定キーで、原稿タイプ（文字／文字・写真／写真／印画紙写真等）を設定し、該設定された原稿タイプを表示する。
【０１１４】
１７１５は詳細設定キーで、原稿読取属性の詳細設定を行うときに使用する。１７１６はキャンセルキーで、この読込設定操作画面で設定した原稿読取属性を無効にし、原稿読取属性設定を終了するときに使用する。１７１７はＯＫキーで、読込設定操作画面で設定した原稿読取属性を有効にし、原稿読取属性設定を終了するときに使用する。
【０１１５】
なお、図１７に示した例では、原稿読取属性として、カラーモードが「フルカラー」で解像度が「１５０ｄｐｉ」と設定されており、原稿読み取り時に、文書格納管理手段のページ管理テーブル（図１４，図１５）のサブＩＤ属性１４０３−１には「ＪＦＩＦ」または「ＪＰＥＧ」、共通データ（図１６）のカラー属性１６０１には「ＲＧＢ」、Ｂｉｔ／Ｐｉｘｃｅｌ１６０３には「８」、解像度（主走査）１６０５には「１５０ｄｐｉ」、解像度（副走査）１６０６には「１５０ｄｐｉ」、圧縮方式１６１０には「ＪＰＥＧ」がセットされる。
【０１１６】
また、図１７に示した例では、原稿タイプは「文字／写真」に設定されており、ページ管理テーブルの共通データ（図１６）の画像種別１６１１には、「文字／写真」がセットされる。さらに、共通データの他の属性データに関しては、原稿の大きさ、向きや原稿読み取り手段のプリスキャン結果によって適正な値がセットされる。
【０１１７】
次に、図１８のフローチャートを用いてカラーモード指定の違いにより、どのようなカラーモードで原稿読み取り指示がなされるか、即ち原稿モード指定処理手順に関して説明する。
【０１１８】
図１８は、本発明の複合複写装置における第１の制御処理手順の一例を示すフローチャートであり、原稿モード指定処理手順に対応する。なお、このフローチャートの処理は、図１に示したＣＰＵ２００１によりＲＯＭ２００３、ＨＤＤ２００４、又はその他の記憶媒体に格納されたプログラムに基づいて実行されるものとする。また、図中Ｓ７０１−１〜Ｓ７０１−９は各ステップを示す。
【０１１９】
ステップＳ７０１−１でカラーモード指定処理を開始すると、まず、ステップＳ７０１−２で、図１７に示した読込設定操作画面でいずれのカラーモードが選択されかをチェックし、図１７のカラーモード表示設定キー１７０８で「フルカラー」、即ち「カラー読み取り」が指定されたと判断した場合には、ステップＳ７０１−３で、送信相手先がカラー画像を受信できるか否か等の受信能力を交換するプロトコルを自らが搭載しているかチェックする。
【０１２０】
なお、受信能力を交換するプロトコルの代表的なものとして、ＦＡＸ装置があげられ、通信時でないと相手先のＦＡＸがカラー画像を受信できるのか否かが決定できない。但し、ＦＡＸ装置は白黒２値画像は必ず受信できる。一方、受信能力の交換機能がないプロトコルとしては、電子メール，ＦＴＰ（Ｆｉｌｅ　Ｔｒａｎｓｆｅｒ　Ｐｒｏｔｏｃｏｌ）が一般的に知られている。受信能力の交換機能がないプロトコルは基本的に、カラー画像，グレースケール画像，白黒２値画像の何れを送信しても通信プロトコル上エラーになることはない。
【０１２１】
従って、カラー原稿蓄積の際に、ステップＳ７０１−３で、送信相手先がカラー画像を受信できるか否か等の受信能力を交換するプロトコルを自らが搭載していると判断した場合には、原稿蓄積時に必ずしも送信先がカラー画像を受信できるかどうか不明なので、ステップＳ７０１−４に進み、同一原稿に対してカラー画像（又は、グレースケール画像）と白黒２値画像を複数蓄積するよう原稿読み取り手段に指示し、処理を終了する（Ｓ７０１−５）。
【０１２２】
一方、ステップＳ７０１−３で、送信相手先がカラー画像を受信できるか否か等の受信能力を交換するプロトコルを自らが搭載していないと判断した場合には、機器の送信可能な宛先がカラー画像を必ず送信できるので、ステップＳ７０１−６に進み、カラー画像（又は、グレースケール画像）の読み取り及び保持指示を行い、処理を終了する（Ｓ７０１−５）。
【０１２３】
一方、ステップＳ７０１−２で、図１７に示した読込設定操作画面で選択されたカラーモード（図１７のカラーモード表示設定キー１７０８）が「フルカラー」でない、即ち「カラー読み取り」が指定されていないと判断した場合には、ステップＳ７０１−７に移行し、「ＡＣＳ（カラー／白黒原稿検知読み取り）」が指定されているかチェックし、「ＡＣＳ（カラー／白黒原稿検知読み取り）」が指定されていると判断した場合には、ステップＳ７０１−８で、カラー／白黒原稿検知結果を判別（原稿１枚毎に判別）し、カラー／白黒原稿検知結果がカラー原稿であると判別した場合には、ステップＳ７０１−３に移行し、カラー画像の読み取り及び保持指示を行い、処理を終了する（Ｓ７０１−５）。
【０１２４】
一方、ステップＳ７０１−８で、カラー／白黒原稿検知結果が白黒原稿であると判断した場合には、ステップＳ７０１−９に移行し、白黒２値原稿読み取り及び保持指示を行い、処理を終了する（Ｓ７０１−５）。
【０１２５】
一方、ステップＳ７０１−７で、図１７に示した読込設定操作画面で選択されたカラーモード（図１７のカラーモード表示設定キー１７０８）が「ＡＣＳ（カラー／白黒原稿検知読み取り）」でない、即ち「カラー／白黒原稿検知読み取り」が指定されていないと判断した場合には、ステップＳ７０１−９に移行し、白黒２値原稿読み取り及び保持指示を行い、処理を終了する（Ｓ７０１−５）。
【０１２６】
〔送信手段〕
以下、図１９〜図２１を用いて本発明の複合複写装置におけるネットワーク通信手段について説明する。このネットワーク通信手段は本発明の特徴をもっとよくあらわすものの１つである。
【０１２７】
図１９は、本発明の複合複写装置（複写機）を適用可能な基本的なシステム構成を示す構成図である。
【０１２８】
図において、６０２−１は複写機で、複数枚の原稿を読み取り、さまざまな装置に送信するものであり、図１に示した複合複写装置と同様の構成である。６０２−４はファイルサーバ／メールサーバで、複写機６０２−１が読み取ったデータを格納するコンピュータである。
【０１２９】
６０２−５はクライアントコンピュータで、ファイルサーバ／メールサーバ６０２−４に接続し、データを表示可能なコンピュータである。６０２−６はイーサネット（登録商標）で、複写機６０２−１，ファイルサーバ／メールサーバ６０２−４，クライアントコンピュータ６０２−５が接続されるネットワークである。なお、ファイルサーバ／メールサーバ６０２−４は、ＦＴＰサーバやＮｅｔＷａｒｅサーバやＳＭＢサーバ等のことである。
【０１３０】
図２０は、図１９に示した複写機６０２−１における送信手段のソフトウエアブロック図であり、図１に示したコントローラユニット２０００に実装される。
【０１３１】
図において、６０１−１は操作部コンポーネントで、送信するためのプロトコルや送信する画像のフォーマットや送信先などをユーザのタッチキー操作の指示により取得する。６０１−０は送信管理コンポーネントで、操作部コンポーネント６０１−１において選択された送信するためのプロトコルや送信する画像のフォーマットや送信先などの処理命令に従い、スキャナ管理コンポーネント６０１−４により原稿の読み取りを指示し、宛先管理コンポーネント６０１−２より宛先情報を取得し、読込んだ画像データをプリントコンポーネント６０１−５、ファクシミリ送信コンポーネント６０１−６、ファイルサーバ送信コンポーネント６０１−７、メール送信コンポーネント６０１−８に送信処理命令を発行することにより、それぞれ、複写機６０２−１とＬＡＮ６０２−６で接続されたプリンタ（不図示）、複写機６０２−１と電話回線で接続された遠隔のファクシミリ（不図示）、ファイルサーバ／メールサーバ６０２−４に送信することができる。
【０１３２】
特に、ファイルサーバ送信コンポーネント６０１−７は、ＦＴＰとＮｅｔＷａｒｅとＳＭＢとの３つのプロトコルを用いて、ファイルサーバ／メールサーバ６０２−４に送信することができる。また、６０１−０は送信管理コンポーネントで、宛先管理コンポーネント６０１−２とスキャナ管理コンポーネント６０１−４および各送信コンポーネント間でジョブ制御を行うジョブ管理コンポーネント６０１−３から構成される。
【０１３３】
次に、図２１を用いて、本発明の複合複写装置における送信手段が送信処理時にどのようにカラー画像／白黒２値画像を選択して送信するかに関して説明する。
【０１３４】
図２１は、本発明の複合複写装置における第２の制御処理手順の一例を示すフローチャートであり、送信処理手順に対応する。なお、このフローチャートの処理は、図１に示したＣＰＵ２００１によりＲＯＭ２００３、ＨＤＤ２００４、又はその他の記憶媒体に格納されたプログラムに基づいて実行されるものとする。また、図中Ｓ７０２−１〜Ｓ７０１−１２は各ステップを示す。
【０１３５】
ステップＳ７０２−１で、送信処理が開始されると、まずステップＳ７０２−２で、図１７のカラーモード表示設定キー１７０８で「フルカラー」または「ＡＣＳ（カラー／白黒原稿検知読み取り）ＡＣＣＳ」の何れかが選択されているかチェック、つまりカラー画像が含まれている可能性があるかチェックし、ステップＳ７０２−３において、カラー原稿が含まれる可能性があると判断した場合には、ステップＳ７０２−４で送信先と通信するプロトコルの種別をチェックし、例えばＦＴＰやＥｍａｉｌまたはカラーＦＡＸ（但し、通信時に相手ＦＡＸの受信能力宣言でカラー受信能力有りと宣言された場合）等のカラー画像受信可能な宛先か否かを判定する。
【０１３６】
もし、ステップＳ７０２−４で、カラー画像受信可能な宛先であると判断した場合には、ステップＳ７０２−５に移行し、送信画像がカラーならばカラー画像情報を、カラーでなければ白黒２値画像情報を文書格納部から選択して送信し、処理を終了する（Ｓ７０２−６）。
【０１３７】
一方、ステップＳ７０２−４で、カラー画像受信可能でない、例えば白黒ＦＡＸ（但し、通信時に相手ＦＡＸの受信能力宣言でカラー受信能力なしと宣言された場合）宛先であると判断した場合には、ステップＳ７０２−７で、白黒２値画像情報を選択して送信し、処理を終了する（Ｓ７０２−６）。
【０１３８】
一方、ステップＳ７０２−３で、図１７のカラーモード表示設定キー１７０８で「フルカラー」が選択されていないと判断した場合には、ステップＳ７０２−８に移行し、図１７のカラーモード表示設定キー１７０８で「モノクロ２値」が選択されているかをチェックし、「モノクロ２値」に指定されていると判断した場合には、ステップＳ７０２−９で、白黒２値画像情報を選択して送信し、処理を終了する（Ｓ７０２−６）。
【０１３９】
一方、ステップＳ７０２−８で、図１７のカラーモード表示設定キー１７０８で「モノクロ２値」が選択されていいない、即ち図１７のカラーモード表示設定キー１７０８で「ＡＣＳ（カラー／白黒原稿検知読み取り）」が選択されていると判断した場合には、ステップＳ７０２−１０に移行し、送信先がカラー画像を受信する能力があるかチェックし、送信先がカラー画像を受信する能力があると判断した場合には、ステップＳ７０２−１１に移行し、原稿１枚毎に、送信画像がカラーならば（カラー原稿と判別されカラー画像情報として読み取られ保持されているならば）カラー画像情報、さもなくば（白黒原稿と判別され白黒２値画像情報として読み取られ保持されているならば）白黒２値画像を文書格納手段から選択して送信し、処理を終了する（Ｓ７０２−６）。
【０１４０】
一方、ステップＳ７０２−１０で、送信先が白黒２値画像しか受信できないと判断した場合には、ステップＳ７０２−１２に移行し、白黒２値画像情報を文書格納部から選択して送信し、処理を終了する（Ｓ７０２−６）。
【０１４１】
以上の処理により、ＢＯＸ原稿蓄積の際に、自動原稿カラー／白黒検知（ＡＣＳ判定）の結果カラー原稿の場合はカラー画像と白黒２値画像を蓄積し、一方、白黒画像と判定された場合は白黒２値画像を蓄積することにより、カラー受信可能な宛先にＡＣＳ結果、カラーの場合はカラー画像情報を、白黒の場合は白黒２値画像情報を送信可能となり、送信時間を短縮することができる。
【０１４２】
〔アドレス指定手段〕
以下、図２２〜図３６を用いて本発明の複合複写装置におけるアドレス指定手段を説明する。このアドレス指定手段は本発明の特徴をもっとよくあらわすものの１つである。
【０１４３】
図２２は、本発明の複合複写装置におけるアドレス管理オブジェクト構造を示す模式図である。
【０１４４】
本発明のアドレス指定手段では、Ｅｍａｉｌアドレス管理オブジェクト１−１、ＦＴＰ（Ｆｉｌｅ　Ｔｒａｎｓｆｅｒ　Ｐｒｏｔｏｃｏｌ）やＳＭＢ（Ｓｅｒｖｅｒ　Ｍｅｓｓａｇｅ　Ｂｌｏｃｋ　Ｐｒｏｔｏｃｏｌ）等のファイル転送／共有プロトコルのアドレス管理オブジェクト１−２、文書格納管理手段を示すＢＯＸのアドレス管理オブジェクト１−３、Ｉｎｔｅｒｎｅｔ　ＦＡＸのアドレス管理オブジェクト１−４、Ｇ３ＦＡＸのアドレス管理オブジェクト１−５等の１宛先のオブジェクトを管理する１宛先管理オブジェクトと、送信予約時に後述する図２９に示す宛先表画面で選択した宛先を管理する宛先指定リストオブジェクト１−６で構成される。
【０１４５】
なお、以上のオブジェクトは、ＲＡＭ２００２、ＨＤＤ２００４上で格納管理される。
【０１４６】
また、上記１宛先管理オブジェクトは、新規にアドレス登録されるたびに１つづつオブジェクトが生成される。
【０１４７】
さらに、１宛先管理オブジェクトは、複数のアドレス関連の属性から構成される。即ち、アドレス管理オブジェクトの構成は、「オブジェクトリスト」→「オブジェクト」→「属性」の階層構造を有する。
【０１４８】
以下、図２３〜図２７を参照して、各１宛先管理オブジェクトの複数のアドレス関連の属性について説明する。
【０１４９】
図２３は、図２２に示したＥｍａｉｌアドレス管理オブジェクト１−１の管理属性を示す図である。
【０１５０】
図において、属性型「ｉｎｄｅｘＩＤ」は、宛先指定リストオブジェクト１−６から各１宛先管理オブジェクトを参照するためのＩＤであり、各々ユニークである。
【０１５１】
属性型「ｏｂｊｅｃｔＣｌａｓｓ」は、宛先種別を表わし、Ｅｍａｉｌの場合は「Ｅｍａｉｌ」がセットされる。
【０１５２】
属性型「ｐｒｏｔｏｃｏｌ」は、通信プロトコル種別を表わし、Ｅｍａｉｌの場合は「ＳＭＴＰ（Ｓｉｍｐｌｅ　Ｍａｉｌ　Ｔｒａｎｓｆｅｒ　Ｐｒｏｔｏｃｏｌ）」がセットされる。
【０１５３】
属性型「ｃｎ」は一般名、属性型「ｃｎＲｅａｄ」は一般名のふりがな、属性型「ｉｎｄｅｘＷｏｒｄ」は一般名の索引である。
【０１５４】
以上、属性型「ｉｎｄｅｘＩＤ」，「ｏｂｊｅｃｔＣｌａｓｓ」，「Ｅｍａｉｌ」，「ｐｒｏｔｏｃｏｌ」，「ｃｎ」，「ｃｎＲｅａｄ」，「ｉｎｄｅｘＷｏｒｄ」は、各宛先管理オブジェクトに共通な属性であるので、他の各宛先管理オブジェクトの説明においては省略する。
【０１５５】
また、属性型「ｍａｉｌＡｄｄｒｅｓｓ」は文字どおり、相手先の電子メールアドレスの文字列が格納される。属性型「ｄｏｃｕｍｅｎｔＦｏｒｍａｔ」は、処理可能なドキュメントｃａｐａｂｉｌｉｔｙが格納される。
【０１５６】
図２４は、図２２に示したファイル転送／共有プロトコルのアドレス管理オブジェクト１−２の管理属性を示す図である。
【０１５７】
図において、属性型「ｕｒｌ」は、ＵＲＬ上のファイル転送／共有プロトコルのアドレス表記の文字列が格納される。属性型「ｐａｔｈ」は、送信ファイルをファイルサーバ上のどのディレクトリに格納するかを指定するディレクトリファイルパス文字列が格納される。
【０１５８】
属性型「ｕｓｅｒＮａｍｅ」は、ファイルサーバ上でログインするためのユーザアカウントの文字列が格納される。属性型「ｐｗｄ」は、ファイルサーバ上でログインするためのユーザアカウントに対するパスワードの文字列が格納される。
【０１５９】
図２５は、図２２に示したＢＯＸのアドレス管理オブジェクト１−３の管理属性を示す図である。
【０１６０】
図において、属性型「ｂｏｘＮｕｍｂｅｒ」は、本発明のデジタル複合複写機内の文書格納管理手段が管理する１００個あるユーザＢＯＸの１つのＢＯＸを指定するための番号が格納される。
【０１６１】
図２６は、図２２に示したＩｎｔｅｒｎｅｔ　ＦＡＸのアドレス管理オブジェクト１−４の管理属性を示す図である。
【０１６２】
図において、属性型「ｍａｉｌＡｄｄｒｅｓｓ」はＥｍａｉｌと同様に相手先の電子メールアドレスの文字列が格納される。
【０１６３】
図２７は、図２２に示したＧ３　ＦＡＸのアドレス管理オブジェクト１−４の管理属性を示す図である。
【０１６４】
図において、属性型「ｄｉａｌＤａｔａ」は、送信先ＦＡＸの電話番号文字列が格納される。
【０１６５】
図２８は、本発明の複合複写装置における文書格納管理手段で格納文書の送信宛先の設定をおこなう宛先表画面の一例を示す模式図であり、後述する図３５に示す標準画面において送信タブ３５０２を選択した場合や、図３７に示すボックス内画面の文書リスト３７０１から文書を選択後に送信ボタン３７０７を押下した場合に、図３に示した操作部２０１２のＬＣＤ表示部２０１３に表示される画面である。
【０１６６】
図において、２８０１はアドレス一覧で、宛先表選択キー２８０２，宛先の種類選択キー２８０３により選択された宛先表，宛先の種類に登録されたアドレスの一覧が表示され、アドレスを選択すると左端にチェックマークが表示される。
【０１６７】
２８０４は上スクロールキー、２８０５は下スクロールキーであり、アドレス一覧２８０１の１画面で表示できる数を超える場合に、アドレス一覧を上下にスクロールするときに使用する。
【０１６８】
２８０６はキャンセルボタンで、このボタンを押下することにより、アドレス一覧２８０１で選択された宛先を無効にして、宛先表画面を終了する。
【０１６９】
２８０７はＯＫボタンで、このボタンを押下することにより、アドレス一覧２８０１で選択された宛先を有効にし、図２９に示す送信先の設定画面が表示される。
【０１７０】
図２９は、本発明の複合複写装置において送信先の設定を行う送信先の設定画面の一例を示す模式図であり、図２８に示したアドレス一覧２８０１でアドレスを選択した後にＯＫボタン２８０７を押下した場合に図３に示した操作部２０１２のＬＣＤ表示部２０１３に表示される画面である。
【０１７１】
図において、２９０１は送信先一覧で、図２８に示した宛先表画面で選択された送信先が一覧表示される。２９０２は上スクロールキー、２９０３は下スクロールキーであり、送信先一覧２９０１の１画面で表示できる数を超える場合に、アドレス一覧を上下にスクロールするときに使用する。
【０１７２】
２９０４は送信設定ボタンで、このボタンを押下すると後述する図３８に示す送信設定画面が表示され、「件名」、「本文」等を設定することができる。
【０１７３】
さらに、「ファイル形式（白黒／カラー）の選択メニュー」のメニューバーの項目を選択することで、本発明の特徴を最も良く表わすファイル生成パラメータ指定手段における送信ファイルに関する属性を指定することができる。
【０１７４】
２９０５はキャンセルボタンで、このボタンを押下することにより、送信先設定を無効にして、図２８に示した宛先表画面に戻る。
【０１７５】
２９０６は実行ボタンで、このボタンを押下することにより、送信先設定を有効に設定され、送信処理が実行される。
【０１７６】
〔文書選択手段〕
以下、図３０〜図３７を参照して、本発明の文書選択手段について説明する。本発明の文書選択手段は本発明の特徴をもっとよくあらわすものの１つである。
【０１７７】
図３０〜図３４は、本発明の複合複写装置における第３の制御処理手順の一例を示すフローチャートであり、文書選択処理手順に対応する。なお、このフローチャートの処理は、図１に示したＣＰＵ２００１によりＲＯＭ２００３、ＨＤＤ２００４、又はその他の記憶媒体に格納されたプログラムに基づいて実行されるものとする。また、図中Ｓ２０１−１〜Ｓ２０１−１３，Ｓ２０２−１〜Ｓ２０２−５，Ｓ２０３−１〜Ｓ２０３−９，Ｓ２０４−１〜Ｓ２０４−１０，Ｓ２０５−１〜Ｓ２０５−９は各ステップを示す。
【０１７８】
また、図３５は、本発明の複合複写装置におけるコピー画面の一例を示す模式図であり、複合複写装置起動時に初期画面として図３に示した操作部２０１２のＬＣＤ表示部２０１３に表示される標準画面（コピータブ３５０３選択時のコピー画面）である。
【０１７９】
さらに、図３６は、本発明の複合複写装置におけるボックス画面の一例を示す模式図であり、図３に示した操作部２０１２のＬＣＤ表示部２０１３に表示される画面である。
【０１８０】
また、図３７は、本発明の複合複写装置におけるボックス内画面の一例を示す模式図であり、図３に示した操作部２０１２のＬＣＤ表示部２０１３に表示される画面である。
【０１８１】
ステップＳ２０２−１で、ＢＯＸ送信操作処理を開始し、ステップＳ２０１−２で、図３５に示すコピー画面でボックスタグ３５０１を押下すると、ステップＳ２０１−３で、図３６に示すＢＯＸ画面が表示される。
【０１８２】
次に、ステップＳ２０１−４では、図３６に示すＢＯＸ画面のユーザボックス３６０１が機器のデフォルトとして選択済みなので、ステップＳ２０１−６でＹＥＳとなり、ステップＳ２０１−７に進み、図３６に示すＢＯＸ画面でユーザボックス一覧３６０３を表示する。なお、システムボックス３６０２が選択された場合は、ステップＳ２０１−５でＹＥＳとなり、ステップＳ２０３−１に移行する。また、システムボックス３６０２，ユーザボックス３６０１のいずれも選択されていない場合は、ステップＳ２０１−４の処理に戻る。
【０１８３】
次に、図３６に示すＢＯＸ画面でボックス番号欄３６０３−１の「０４」（名称欄３６０３−２が「ＢＯＸ＃０８」）を選択すると、ステップＳ２０１−８がＹＥＳとなりステップＳ０２０３−０１に移行し、選択通番カウンタに０セットし、選択ＢＯＸの文書リスト管理データを初期化する。また、図３７に示すボックス内画面に移行し、消去ボタン３７０５，ボックスに移動ボタン３７０６，送信ボタン３７０７，プリントボタン３７０８等の機能ボタンをマスクし、ユーザボックスの８番「０４　ＢＯＸ＃０８」画面を表示する。
【０１８４】
次に、Ｓ２０３−２で図３７に示すユーザボックスの８番の文書リスト（一覧）画面３７０１を８件分表示する。
【０１８５】
次に、図３７の機能ボタンはマスクされているため、Ｓ２０３−３がＮＯとなり、ステップＳ２０３−４に進み、図３７の文書リストの中から１選択目の文書である文書（「文書名」欄が「ＤＯＣ＃０２」）を選択すると、Ｓ２０３−４がＹＥＳとなり、ステップＳ２０５−１に移行する。
【０１８６】
Ｓ２０５−１では、選択文書が既に選択済みの文書か否かを判定し、選択文書が既に選択済みの文書でない場合は、ステップＳ２０５−１がＮＯとなり、ステップＳ２０５−２で、選択通番カウンタをインクリメントする。
【０１８７】
そして、ステップＳ２０５−３で、選択された文書のリスト文書管理データの選択フラグをＯＮし、該管理データの選択通番号に選択番号カウンタ値をセットし、文書リストの該文書に対応した文書表示行に選択通番号値が表示された文書選択アイコン３７０１−１（図３７に示す文書名欄３７０１−２が「ＤＯＣ＃０２」の左端の数字「１」）を表示し、図３７に示す機能ボタンである消去ボタン３７０５，ボックスに移動ボタン３７０６，送信ボタン３７０７，プリントボタン３７０８を有効化し、ステップＳ２０２−４の処理に戻る。なお、上記のステップと同様に図３７に示す文書リスト３７０１の中から「２」と「３」選択目の文書である文書（「文書名」欄が「ＤＯＣ＃０４」と「ＤＯＣ＃０５」）を選択すると、文書選択アイコン３７０１−１の「２」，「３」が表示される。
【０１８８】
次に、図３７に示す送信ボタン３７０７等の機能ボタンを押下すると、ステップＳ２０３−３がＹＥＳとなり、ステップＳ２０４−４に移行する。
【０１８９】
ステップＳ２０４−４では、選択通番カウンタが「０」より大きいか否かを判定し、「０」より大きくない場合、ステップＳ２０３−３の処理に戻り、一方、「０」より大きい場合（図３７では、選択通番カウンタが「３」なのでＹＥＳとなる）、押下された機能ボタンが送信ボタン３７０７であるか否かを判定し、送信ボタンであると判断した場合には、ステップＳ２０３−５がＹＥＳとなり、ステップＳ２０４−６に移行し、上記アドレス指定手段で説明した宛先設定処理，送信設定処理が実行されるともに、前記の送信手段で説明した送信処理が実行され、ステップＳ２０１−３に戻り、ユーザボックス画面が表示される。なお、送信処理は文書リストで選択された文書の順番で文書結合されて送信される。
【０１９０】
また、その他のステップの説明は省略する。
【０１９１】
〔ファイル生成パラメータ指定手段〕
以下、図３８を参照して、本発明の複合複写装置におけるファイル生成パラメータ指定手段について説明する。なお、このファイル生成パラメータ指定手段は本発明の特徴をもっとよくあらわすものの１つであり、上記アドレス指定手段で一部を説明したが、ここではさらに詳しく説明する。
【０１９２】
図３８は、本発明の複合複写装置における送信設定画面の一例を示す模式図であり、図２９に示した送信先の設定画面で送信設定ボタン２９０４を押下した場合に図３に示した操作部２０１２のＬＣＤ表示部２０１３に表示される画面である。
【０１９３】
図において、３８０１は件名設定ボタンで、件名を入力するときに押下する。３８０２は本文設定ボタンで、本文を入力するときに押下する。３８０３は送信者名設定ボタンで、送信者名を入力するときに押下する。３８０４は返信先設定ボタンで、返信先を入力するときに押下する。３８０５はファイル形式（ＰＤＦ／ＴＩＦＦ）選択メニューでファイル形式を指定するときに設定する。
【０１９４】
３８０６はファイル単位（「ＰＡＧＥ　ｐｅｒ　ＦＩＬＥ」／「ＤＯＣ　ｐｅｒ　ＦＩＬＥ」／「ＤＯＣＳ　ｐｅｒ　ＦＩＬＥ」）を指定する選択メニューで１頁毎１ファイルにするか、１文書（原稿束）毎１フィルとするか、または複数文書を１ファイルにするかを選択する。
【０１９５】
オペレータがこのメニューバーの項目を選択することでファイル生成パラメータ指定を文書送信予約（送信ジョブ投入）毎に行うことができる。
【０１９６】
ファイル形式選択メニュー３８０５とファイル単位選択メニュー３８０６において、ファイル形式で「ＴＩＦＦ」を選択し、ファイル単位で「ＰＡＧＥ　ｐｅｒ　ＦＩＬＥ」１を選択すると、文書リストで選択した複数の文書をＥｍａｉｌ、ＦＴＰ、ＳＭＢで送信する際に白黒画像なら画像１枚毎に１つのＴＩＦＦファイルにファイル形式変換手段により変換して送信できる。また、カラー画像なら画像１枚毎に１つのＴＩＦＦ−ＪＰＥＧとして送信できる。
【０１９７】
ファイル形式で「ＰＤＦ」、ファイル単位で「ＤＯＣＳ　ｐｅｒ　ＦＩＩＬＥ」を選択すると、文書リストで選択した複数の文書が全て１ＰＤＦファイルに変換して送信できる。一方、ファイル形式で「ＴＩＦＦ」、ファイル単位で「ＤＯＣＳ　ｐｅｒ　ＦＩＬＥ」を選択すると、文書リストで選択した複数の文書が全て１つのＭＴＩＦＦ（Ｍｕｌｔｉ　ｐａｇｅ　Ｔａｇｇｅｄ　Ｉｍａｇｅ　Ｆｉｌｅ　Ｆｏｒｍａｔ）ファイルで送信できる。
【０１９８】
さらに、ファイル形式で「ＰＤＦ」、ファイル単位で「ＤＯＣ　ｐｅｒ　ＦＩＬＥ」を選択すると文書リストで選択した複数の文書が１文書毎にＰＤＦファイル化されて送信できる。
【０１９９】
また、３８０７は戻るボタンで、送信設定を終了するときに押下する。
【０２００】
〔ファイル形式変換手段〕
以下、図３９〜図４５を用いて本発明の複合複写装置におけるファイル形式変換手段について説明する。このファイル形式変換手段は本発明の特徴をもっとよくあらわすものの１つである。
【０２０１】
図３９，図４０は、本発明の複合複写装置におけるファイル形式変換アルゴリズムを説明する変換アルゴリズム表であり、ファイル形式変換手段では、この変換アルゴリズム表に基づいて変換すべきファイル形式を決定している。
【０２０２】
図に示すように、上述したファイル生成パラメータ指定手段で指定された、「送信時のファイル分割・結合指定の属性」、「カラー属性」、「ファイル形式属性」の組み合わせ、送信する文書の「原稿種別」の組み合わせと送信プロトコルの種別によって送信するファイル形式が異なる。
【０２０３】
まず、「送信時のファイル分割・結合指定の属性」のパレメータは３種類存在する。
【０２０４】
・１画像ファイル毎に１ファイルに変換する指定「ｐａｇｅ／ｆｉｌｅ」
・１文書毎に１ファイルに変換する指定「文書／ｆｉｌｅ」
・全文書を１ファイルに変換する指定「全文書／ｆｉｌｅ」である。
【０２０５】
また、「カラー属性」のパラメータは「カラー」，「白黒」の２種類である。
【０２０６】
さらに、「ファイル形式属性」は「ＴＩＦＦ」，「ＰＤＦ」の２種類である。
【０２０７】
また、「原稿種別」のパラメータは、送信する文書が全て「白黒画像のみ」，「カラー画像のみ」，「白黒、カラー画像混在」の３種類である。
【０２０８】
次に、図４１〜図４５を参照して、ＰＤＦフォーマットに関する説明と文書格納管理手段に格納された文書の画像ファイルをＰＤＦフォーマット変換する方法について説明する。
【０２０９】
図４１は、ＰＤＦフォーマットの概要を示す図である。なお、ここでは、文書格納手段に格納された画像（枚）変換できる上限数をＭとし、文書格納手段に格納された画像（枚）総数を２Ｍとする場合の例に対応し、図２０に示したファイルサーバ送信コンポーネント６０１−７内の処理で作成される。
【０２１０】
図において、５０１−０はＰＤＦであり、ＰＤＦフォーマットは、「ｈｅａｄｅｒ」５０１−１と「１枚目のｄａｔａ」５０１−２と「２枚目のｄａｔａ」５０１−３と同じようにｄａｔａが続き、「Ｍ枚目のｄａｔａ」５０１−９と「一回目のＰａｇｅｓ」５０１−１０と「一回目のＣｒｏｓｓ　Ｒｅｆｅｒｅｎｃｅ」５０１−１１と「一回目のＴｒａｉｌｅｒ５０１−１２」と、「Ｍ＋１枚目のｄａｔａ」５０１−２２と「Ｍ＋２枚目のｄａｔａ」５０１−２３と同じようにｄａｔａが続き、「２Ｍ枚目のｄａｔａ」５０１−２９と「二回目のＰａｇｅｓ」５０１−３０と「二回目のＣｒｏｓｓ　Ｒｅｆｅｒｅｎｃｅ」５０１−３１と「二回目のＴｒａｉｌｅｒ」５０１−３２とから構成される。
【０２１１】
「ｈｅａｄｅｒ５０１−１」は、固定的に生成できる。「１枚目のｄａｔａ」５０１−２は、１枚目の画像とその解像度や圧縮形式などの属性情報から構成される。「２枚目のｄａｔａ」５０１−３も、２枚目の画像とその解像度や圧縮形式などの属性情報から構成される。同じようにｄａｔａが続き、「Ｍ枚目のｄａｔａ」５０１−９も、Ｍ枚目の画像とその解像度や圧縮形式などの属性情報から構成される。
【０２１２】
「１枚目のｄａｔａ」５０１−２や「２枚目のｄａｔａ」５０１−３などには、「ｏｂｊｅｃｔ　ｎｏ」というＰＤＦ内で一意の番号が割り当てられる。「一回目のＰａｇｅｓ」０５０１−１０内にそれらの「ｏｂｊｅｃｔ　ｎｏ」が記述される。「一回目のＣｒｏｓｓ　Ｒｅｆｅｒｅｎｃｅ」５０１−１１は、「一回目のＣｒｏｓｓ　Ｒｅｆｅｒｅｎｃｅ」５０１−１１までに現われた全ての「ｏｂｊｅｃｔ　ｎｏ」とその「ｏｂｊｅｃｔ　ｎｏ」が示すＰＤＦ内での位置情報が記述される。
【０２１３】
「一回目のＴｒａｉｌｅｒ」５０１−１２には、「一回目のＣｒｏｓｓ　Ｒｅｆｅｒｅｎｃｅ」５０１−１１の位置情報が記述される。
【０２１４】
次に、「Ｍ＋１枚目のｄａｔａ」５０１−２２は、Ｍ＋１枚目の画像とその解像度や圧縮形式などの属性情報から構成される。「Ｍ＋２枚目のｄａｔａ」５０１−２３も、Ｍ＋２枚目の画像とその解像度や圧縮形式などの属性情報から構成される。同じようにｄａｔａが続き、「２Ｍ枚目のｄａｔａ」５０１−２９も、２Ｍ枚目の画像とその解像度や圧縮形式などの属性情報から構成される。
【０２１５】
「Ｍ＋１枚目のｄａｔａ」５０１−２２や「Ｍ＋２枚目のｄａｔａ」５０１−２３などにも、「ｏｂｊｅｃｔ　ｎｏ」というＰＤＦ内で一意の番号が割り当てられる。「二回目のＰａｇｅｓ」５０１−３０内には、「１枚目の画像のｄａｔａ」５０１−１から「２Ｍ枚目の画像のｄａｔａ」５０１−２９までの「ｏｂｊｅｃｔ　ｎｏ」が記述される。
【０２１６】
「二回目のＣｒｏｓｓ　Ｒｅｆｅｒｅｎｃｅ」５０１−３１は、「一回目のＰａｇｅｓ」５０１−１０を「二回目のＰａｇｅｓ」５０１−３０で更新することが記述され、次に「二回目のＰａｇｅｓ」５０１−３０の位置情報が記述され、「Ｍ＋１枚目のｄａｔａ」５０１−２２の「ｏｂｊｅｃｔ　ｎｏ」が記述され、「Ｍ＋１枚目のｄａｔａ」５０１−２２から「二回目のＣｒｏｓｓ　Ｒｅｆｅｒｅｎｃｅ」５０１−３１までに現われた全てのｏｂｊｅｃｔの位置情報の値が記述される。
【０２１７】
「二回目のＴｒａｉｌｅｒ」５０１−３２には、「一回目のＣｒｏｓｓ　Ｒｅｆｅｒｅｎｃｅ」の位置情報と「二回目のＣｒｏｓｓ　Ｒｅｆｅｒｅｎｃｅ５０１−３１」の位置情報とが記述される。
【０２１８】
なお、完全なＰＤＦフォーマットとしては、他の要素も必要であるが、本発明との関連が低いため、ここでは省略し記述してない。
【０２１９】
図４２は、図４１に示したＰＤＦ５０１−０内の「二回目のＰａｇｅｓ」５０１−３０の具体例を示す図である。なお、ここでは、文書格納手段に格納された画像（枚）変換できる上限数Ｍを２００とし、文書格納手段に格納された画像（枚）総数を４００としている。
【０２２０】
図に示すように、「二回目のＰａｇｅｓ」５０１−３０には、「／Ｋｉｄｓ」の行５０２−１で、「１枚目の画像のｄａｔａ」５０１−１から「２Ｍ枚目の画像のｄａｔａ」５０１−２９までの「ｏｂｊｅｃｔ　ｎｏ」が記述されている。
【０２２１】
なお、「１枚目の画像のｄａｔａ」５０１−１の「ｏｂｊｅｃｔ　ｎｏ」は、「１　０　Ｒ」であり、「２Ｍ枚目の画像のｄａｔａ」５０１−２９の「ｏｂｊｅｃｔ　ｎｏ」は、「２３９４　０　Ｒ」である。
【０２２２】
また、「／Ｃｏｕｎｔ　４００」５０２−２は、全ての画像のｄａｔａのｏｂｊｅｃｔ数を示しており、その値は２Ｍであるから、「２×２００＝４００」となる。
【０２２３】
図４３は、図４１に示したＰＤＦ５０１−０内の「二回目のＣｒｏｓｓ　Ｒｅｆｅｒｅｎｃｅ」５０１−３１の具体例を示す図である。なお、文書格納手段に格納された画像（枚）変換できる上限数Ｍを２００とし、文書格納手段に格納された画像（枚）総数を４００としている。
【０２２４】
図に示すように、「二回目のＣｒｏｓｓ　Ｒｅｆｅｒｅｎｃｅ」５０１−３１は、「一回目のＰａｇｅｓ」５０１−１０を「二回目のＰａｇｅｓ」５０１−３０で更新することを示す「２　１」５０３−１が記述されている。
【０２２５】
また、「二回目のＰａｇｅｓ」の位置情報５０３−２が記述されている。
【０２２６】
さらに、「Ｍ＋１枚目のｄａｔａ」５０１−２２の「ｏｂｊｅｃｔ　ｎｏ」５０３−３が「１２００」として記述され、「Ｍ＋１枚目のｄａｔａ」５０１−２２の位置情報５０３−４が記述され、以下、「二回目のＣｒｏｓｓ　Ｒｅｆｅｒｅｎｃｅ」５０１−３１までに現われた全てのｏｂｊｅｃｔの位置情報の値が記述される。
【０２２７】
なお、「二回目以降のＣｒｏｓｓ　Ｒｅｆｅｒｅｎｃｅ」も「二回目のＣｒｏｓｓ　Ｒｅｆｅｒｅｎｃｅ」５０１−３１と同様である。
【０２２８】
図４４は、図４１に示したＰＤＦ５０１−０内の「二回目のＴｒａｉｌｅｒ」５０１−３２の具体例を示す図である。なお、文書格納手段に格納された画像（枚）変換できる上限数Ｍを２００とし、文書格納手段に格納された画像（枚）総数を４００としている。
【０２２９】
図に示すように、「二回目のＴｒａｉｌｅｒ」５０１−３２には、「一回目のＣｒｏｓｓ　Ｒｅｆｅｒｅｎｃｅの位置情報５０４−１と、「二回目のＣｒｏｓｓ　Ｒｅｆｅｒｅｎｃｅ」５０１−３１の位置情報５０４−２とが記述される。
【０２３０】
なお、「二回目以降のＴｒａｉｌｅｒ」も「二回目のＴｒａｉｌｅｒ」５０１−３２と同様である。
【０２３１】
以下、図４５のフローチャートを参照して、本発明の複合複写装置におけるＰＤＦファイルへの変換と連結と送信の処理手順について説明する。
【０２３２】
図４５は、本発明の複合複写装置における第４の制御処理手順の一例を示すフローチャートであり、ＰＤＦファイルへの変換と連結と送信の処理手順に対応する。なお、このフローチャートの処理は、図１に示したＣＰＵ２００１によりＲＯＭ２００３、ＨＤＤ２００４、又はその他の記憶媒体に格納されたプログラムに基づいて実行されるものとする。また、図中Ｓ５０５−１〜Ｓ５０５−９は各ステップを示す。なお、文書格納手段に格納された画像（枚）変換できる上限数をＭとし、文書格納手段に格納された画像（枚）総数をＮとする。
【０２３３】
ファイルサーバ送信コンポーネント６０１−７は、ステップＳ５０５−１において、ＰＤＦファイルへの変換と連結と送信とを開始すると、まずステップＳ５０５−２において、「ｈｅａｄｅｒ」５０１−１を生成し送信し、スキャンした画像を送信した画像数用の変数「ｉ」を「０」に初期化する。
【０２３４】
次にステップＳ５０５−３において、スキャンした画像を変換した画像数用の変数「ｊ」を「０」に初期化する。
【０２３５】
次にステップＳ５０５−４において、原稿の総枚数である「Ｎ」と「ｉ」とを比較し、「ｉ」が「Ｎ」より小さいと判断した場合には、ステップＳ５０５−５に進み、一方、「ｉ」が「Ｎ」以上であると判断した場合には、ステップＳ５０５−８に進む。
【０２３６】
次にステップＳ５０５−５において、文書格納手段に格納された画像（枚）変換できる上限数である「Ｍ」と「ｊ」とを比較し、「ｊ」がＭより小さいと判断した場合には、ステップＳ５０５−６に進み、一方、「ｊ」が「Ｍ」以上であると判断した場合には、ステップＳ５０５−７に進む。
【０２３７】
ステップＳ５０５−６では、「ｉ」枚目の原稿の画像の属性情報とデータを取得し、「ｉ枚目のｄａｔａ」を生成し送信し、「ｉ」と「ｊ」に「１」を加えて、ステップＳ５０５−４の処理に戻る。
【０２３８】
また、ステップＳ５０５−７では、「１枚目のｄａｔａ」の「ｏｂｊｅｃｔ　ｎｏ」から「ｉ枚目のｄａｔａ」までの「ｏｂｊｅｃｔ　ｎｏ」を「Ｐａｇｅｓ」に書込み、それらの位置情報を「Ｃｒｏｓｓ　Ｒｅｆｅｒｅｎｃｅ」に書込み、「Ｔｒａｉｌｅｒ」を生成して送信し、ステップＳ５０５−３の処理に戻る。
【０２３９】
なお、ステップＳ５０５−７を通るのが一回目の場合は、ステップＳ５０５−７において、生成した「Ｃｒｏｓｓ　Ｒｅｆｅｒｅｎｃｅ」の位置情報を書き込む。一方、ステップＳ５０５−７を通るのが二回目以降の場合は、「Ｔｒａｉｌｅｒ」の生成においては、前回の「Ｃｒｏｓｓ　Ｒｅｆｅｒｅｎｃｅ」の位置情報を書込み、かつ、今回生成した「Ｃｒｏｓｓ　Ｒｅｆｅｒｅｎｃｅ」の位置情報を書き込む。
【０２４０】
また、ステップＳ５０５−８において、「１枚目のｄａｔａ」の「ｏｂｊｅｃｔ　ｎｏ」から「ｉ枚目のｄａｔａ」までの「ｏｂｊｅｃｔ　ｎｏ」を「Ｐａｇｅｓ」に書込み、それらの位置情報を「Ｃｒｏｓｓ　Ｒｅｆｅｒｅｎｃｅ」に書込み、「Ｔｒａｉｌｅｒ」を生成して送信し、ＰＤＦ変換と連結と送信の処理を終了する（ステップＳ５０５−９）。
【０２４１】
なお、ステップＳ５０５−８での「Ｔｒａｉｌｅｒ」の生成においては、前回の「Ｃｒｏｓｓ　Ｒｅｆｅｒｅｎｃｅ」の位置情報を書込み、かつ、今回生成した「Ｃｒｏｓｓ　Ｒｅｆｅｒｅｎｃｅ」の位置情報を書き込む。
【０２４２】
以下、本発明の複合複写装置における原稿の読取から送信終了までの処理を具体的に説明する。
【０２４３】
本実施形態では、複合複写装置のユーザは、操作部２０１２のタッチキー操作により、原稿をスキャンするための解像度と白黒画像かカラー画像かの選択（図１７に示した読込設定操作画面による選択）と画像のフォーマットと送信するためのプロトコルと送信先の選択（図２８に示した宛先表示画面での送信先の選択）を行う。また、画像のフォーマットとしては、図３８に示した送信設定画面内のファイル形式（白黒／カラー）選択メニュー３８０５で、白黒画像の場合、Ｓ−ＴＩＦＦ（ＴＩＦＦ）かＭ−ＴＩＦＦ（ＭＴＩＦＦ）かＰＤＦかが選択でき、カラー画像の場合は、ＪＰＥＧかＰＤＦかが選択できる。
【０２４４】
ここで、白黒画像かカラー画像の場合で、ＰＤＦを選択し、送信するためのプロトコルとしては、ＳＭＴＰかＦＴＰかＮｅｔＷａｒｅかＳＭＢかを選んだとする。
【０２４５】
ＦＴＰかＮｅｔＷａｒｅかＳＭＢの場合、送付先の情報としては、サーバ名とそのサーバ上のユーザ名とパスワードとディレクトリ名である。ＳＭＴＰの場合、送付先の情報としては、サーバ名とそのサーバ上のユーザ名であり、かつ、ＳＭＴＰサーバにアクセスするためのユーザ名とパスワードとである。
【０２４６】
そして、本複写機のユーザは、Ｎ枚の原稿をスキャナ２０７０に置き、送信の開始を操作部２０１２で指示する。これらの情報は、操作部コンポーネント６０１−１でまとめられ、ジョブ管理コンポーネント６０１−３に通知される。ジョブ管理コンポーネント６０１−３は、これらの情報をまとめて一つのジョブとして扱う。また、操作部コンポーネント６０１−１は、このジョブを操作部２０１２に表示し、複写機１００１のユーザがこのジョブを選択してキャンセルする操作を受け付けられるようにする。
【０２４７】
次に、ジョブ管理コンポーネント６０１−３は、図１８に示したフローチャートに基づいて、解像度と白黒読み取りかカラー読み取りかをスキャナ管理コンポーネント６０１−４に指示する。スキャナ管理コンポーネント６０１−４は、デバイスＩ／Ｆ２００２を通して、指定された解像度で、指定された白黒読み取り、あるいはカラー読み取りとして、スキャナ２０７０を動作させ、Ｎ枚の原稿を読込ませ入力画像を得て、スキャナ画像処理部２０８０で入力画像データを補正、加工、編集する。さらに、画像回転部２０３０を用いて入力画像を回転し、白黒読み取りの場合は、画像圧縮２０４０によって、「ＣＣＩＴＴ　ｔｗｏ−ｄｉｍｅｎｓｉｏｎａｌ　ｅｎｃｏｄｉｎｇ（以後、ＭＭＲと呼ぶ）」で圧縮し、複数枚のＳ−ＴＩＦＦ（ＴＩＦＦ）ファイルに変換して、ＨＤＤ２００４に格納する。
【０２４８】
カラー読み取りの場合は、画像圧縮伸長／密度変換部２０４０によってＪＰＥＧ圧縮で圧縮し、複数枚のＪＰＥＧファイルに変換して、ＨＤＤ２００４に格納する。格納が終了すると、スキャナ管理コンポーネント６０１−４は、ジョブ管理コンポーネント６０１−３に入力された画像のＨＤＤ２００４内の所在を通知する。
【０２４９】
次に、ジョブ管理コンポーネント６０１−３は、送信するためのプロトコルがＦＴＰかＮｅｔＷａｒｅかＳＭＢなので、ファイルサーバ送信コンポーネント６０１−７をジョブの処理先として選択し、入力された画像のＨＤＤ２００４内の所在とフォーマットと送信するためのプロトコルと送信先との情報をＦＴＰかＮｅｔＷａｒｅかＳＭＢの場合ファイルサーバ送信コンポーネント６０１−７に通知し、ＳＭＴＰの場合メール送信コンポーネント６０１−８に通知する。
【０２５０】
次に、ファイルサーバ送信コンポーネント６０１−７、あるいはメール送信コンポーネント６０１−８は、通知されたプロトコルを読み出し、「Ｎｅｔｗｏｒｋ　Ｉ／Ｆ」２０１０を通して用いるプロトコルを決定し、そのプロトコルを使って、通知された送信先であるファイルサーバ／メールサーバ１００４にアクセスする。
【０２５１】
通知されたサーバ名とそのサーバ上のユーザ名とバスワードを使って、指定されたファイルサーバ／メールサーバ１００４にログインし、送信する画像ファイルを置くディレクトリを指定する。日時と指定されたフォーマットから送信するファイル名を自動生成し、指定する。
【０２５２】
次に、ファイルサーバ送信コンポーネント６０１−７は、通知されたフォーマットがＰＤＦだったので、ＨＤＤ２００４内に入力された画像を取り出し、読込まれた複数枚の画像を一つの画像データに変換する手段と、その変換された一つの画像を連結できる手段と、この連結された画像データをＬＡＮ上に送信できる手段とを用いて（即ち、上述した図４５に示したフローチャートに基づいて）、ＰＤＦに変換し連結しながら、ファイルサーバ／メールサーバ１００４に送信する。
【０２５３】
以上説明したように、原稿が白黒原稿かカラー原稿かを原稿読み取り時に判別可能なカラー／白黒原稿検知手段を具備し、カラー／白黒原稿検知手段がカラー原稿と判別したならば同一原稿の白黒画像情報とカラー画像情報を文書格納手段に格納する。一方、白黒原稿と判別したならば白黒画像情報を文書格納手段に格納する。
【０２５４】
また、画像送信モードとしてカラー送信指示された場合、カラー画像を受信できる送信先には、カラー画像情報（またはグレースケール画像）を送信する。一方、カラー画像を受信できない送信先には白黒２値画像情報を送信する。
【０２５５】
さらに、画像送信モードが白黒送信指示された場合は、白黒２値画像情報を送信する。
【０２５６】
また、画像送信モードとしてカラー白黒混在送信指示された場合は、カラー画像を受信できる送信先には、カラー／白黒原稿検知手段でカラー画像と判別された原稿に対してはカラー画像情報を送信し、白黒原稿と判別された原稿に対しては白黒２値画像情報を送信し、カラー画像を受信できない送信先には、白黒２値画像情報を送信する。
【０２５７】
これにより、白黒原稿は白黒画像で、カラー原稿は白黒画像とカラー画像で送信することが可能となり、送信データ量が小さくなり、送信時間の短縮を実現することができる。
【０２５８】
また、カラー／白黒原稿検知手段により、ユーザがカラーで原稿を読み取るか、白黒で読み取るかを機器に対して指示することが不要となり、使い勝手を向上することができる。
【０２５９】
なお、上記実施形態では、カラー／白黒原稿検知手段が白黒原稿と判別した場合に白黒２値画像情報を文書格納手段に格納する構成について説明したが、カラー／白黒原稿検知手段が白黒原稿と判別した場合に白黒画像情報とグレースケール画像と白黒２値画像情報を文書格納手段に格納するように構成してもよい。この場合、画像送信モードとしてカラー白黒混在送信指示された場合は、カラー画像を受信できる送信先には、カラー／白黒原稿検知手段でカラー画像と判別された原稿に対してはカラー画像情報を送信し、白黒原稿と判別された原稿に対してはグレースケール画像情報を送信し、白黒原稿と判別された原稿に対しては白黒２値画像情報を送信し、カラー画像を受信できない送信先には、白黒２値画像情報を送信するものとする。
【０２６０】
これにより、白黒原稿は白黒２値画像又はグレースケール画像で、カラー原稿は白黒２値画像又はカラー画像で送信することが可能となり、送信データ量が小さくなり、送信時間の短縮を実現することができる。
【０２６１】
なお、上記各実施形態を合わせた構成も本発明に含まれるものである。
【０２６２】
以下、図４６に示すメモリマップを参照して本発明に係る複写装置で読み出し可能なデータ処理プログラムの構成について説明する。
【０２６３】
図４６は、本発明に係る複写装置で読み出し可能な各種データ処理プログラムを格納する記憶媒体のメモリマップを説明する模式図である。
【０２６４】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【０２６５】
さらに、各種プログラムに従属するデータも上記ディレクトリに管理されている。また、インストールするプログラムやデータが圧縮されている場合に、解凍するプログラム等も記憶される場合もある。
【０２６６】
本実施形態における図１８，図２１，図３０〜図３４，図４５に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【０２６７】
以上のように、前述した実施形態の機能を実現するソフトウエアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、本発明の目的が達成されることは言うまでもない。
【０２６８】
この場合、記憶媒体から読み出されたプログラムコード自体が本発明の新規な機能を実現することになり、そのプログラムコードを記憶した記憶媒体は本発明を構成することになる。
【０２６９】
プログラムコードを供給するための記憶媒体としては、例えば、フレキシブルディスク，ハードディスク，光ディスク，光磁気ディスク，ＣＤ−ＲＯＭ，ＣＤ−Ｒ，ＤＶＤ−ＲＯＭ，磁気テープ，不揮発性のメモリカード，ＲＯＭ，ＥＥＰＲＯＭ，シリコンディスク等を用いることができる。
【０２７０】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０２７１】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０２７２】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのソフトウエアによって表されるプログラムを格納した記憶媒体を該システムあるいは装置に読み出すことによって、そのシステムあるいは装置が、本発明の効果を享受することが可能となる。
【０２７３】
さらに、本発明を達成するためのソフトウエアによって表されるプログラムをネットワーク上のデータベースから通信プログラムによりダウンロードして読み出すことによって、そのシステムあるいは装置が、本発明の効果を享受することが可能となる。
【０２７４】
【発明の効果】
以上説明したように、本発明によれば、原稿読み取り時にカラーと判別された原稿からはカラー画像情報と白黒２値画像情報の双方を読み取って保持し、白黒原稿と判別された原稿からは白黒２値画像情報のみを読み取って保持し、該保持される画像情報を送信する際、カラー画像を受信可能な送信先には前記原稿１枚毎のカラー判別結果に応じてカラー画像情報又は白黒２値画像情報を送信することにより、カラー原稿と白黒原稿が混在する原稿束から画像情報を読み取って送信する場合でも、従来のように原稿１枚毎にカラー原稿読み取り／白黒原稿読み取りを指定するという煩雑な走査も必要なく、カラー原稿はカラー画像情報として送信され、白黒原稿は白黒２値画像情報として送信され、送信時間を短縮することができるとともに、受信側の画像記憶装置の記憶領域を無駄にしてしまうことを防止することができる等の効果を奏する。
【図面の簡単な説明】
【図１】本発明の一実施形態を示すデジタル複合複写装置（複合複写装置，複写機）の構成を示すブロック図である。
【図２】本発明の複合複写装置における画像入出力デバイスを示す図である。
【図３】図１に示した操作部の構成を示す平面図である。
【図４】図１に示したスキャナ画像処理部の構成を示すブロック図である。
【図５】図１に示したプリンタ画像処理部の構成を示すブロック図である。
【図６】図１に示した画像圧縮伸長／密度変換部の構成を示すブロック図である。
【図７】図１に示した画像回転部の構成を示すブロック図である。
【図８】図１に示した画像回転部の画像回転処理を説明するための模式図である。
【図９】図１に示した画像回転部の画像回転処理を説明するための模式図である。
【図１０】図１に示したデバイスＩ／Ｆ部の構成を示すブロック図である。
【図１１】本発明のデジタル複合複写機において文書属性を管理するための文書管理テーブルの構造を示す図である。
【図１２】図１１に示した文書属性を詳細に示す図である。
【図１３】図１１に示した共通データを詳細に示す図である。
【図１４】本発明のデジタル複合複写機において文書格納管理手段が管理する画像１枚ごとのページ情報を管理するテーブルを示す図である。
【図１５】図１４に示したサブＩＤ属性を詳細に示す図である。
【図１６】図１４に示した共通データを詳細に示す図である。
【図１７】本発明の複合複写装置において、原稿読み取り属性をセットするための読込設定操作画面の一例を示す模式図である。
【図１８】本発明の複合複写装置における第１の制御処理手順の一例を示すフローチャートである。
【図１９】本発明の複合複写装置（複写機）を適用可能な基本的なシステム構成を示す構成図である。
【図２０】図１９に示した複写機における送信手段のソフトウエアブロック図である。
【図２１】本発明の複合複写装置における第２の制御処理手順の一例を示すフローチャートである。
【図２２】本発明の複合複写装置におけるアドレス管理オブジェクト構造を示す模式図である。
【図２３】図２２に示したＥｍａｉｌアドレス管理オブジェクトの管理属性を示す図である。
【図２４】図２２に示したファイル転送／共有プロトコルのアドレス管理オブジェクトの管理属性を示す図である。
【図２５】図２２に示したＢＯＸのアドレス管理オブジェクトの管理属性を示す図である。
【図２６】図２２に示したＩｎｔｅｒｎｅｔ　ＦＡＸのアドレス管理オブジェクトの管理属性を示す図である。
【図２７】図２２に示したＧ３　ＦＡＸのアドレス管理オブジェクトの管理属性を示す図である。
【図２８】本発明の複合複写装置における文書格納管理手段で格納文書の送信宛先の設定をおこなう宛先表画面の一例を示す模式図である。
【図２９】本発明の複合複写装置において送信先の設定を行う送信先の設定画面の一例を示す模式図である。
【図３０】本発明の複合複写装置における第３の制御処理手順の一例を示すフローチャートである。
【図３１】本発明の複合複写装置における第３の制御処理手順の一例を示すフローチャートである。
【図３２】本発明の複合複写装置における第３の制御処理手順の一例を示すフローチャートである。
【図３３】本発明の複合複写装置における第３の制御処理手順の一例を示すフローチャートである。
【図３４】本発明の複合複写装置における第３の制御処理手順の一例を示すフローチャートである。
【図３５】本発明の複合複写装置におけるコピー画面の一例を示す模式図である。
【図３６】本発明の複合複写装置におけるボックス画面の一例を示す模式図である。
【図３７】本発明の複合複写装置におけるボックス内画面の一例を示す模式図である。
【図３８】本発明の複合複写装置における送信設定画面の一例を示す模式図である。
【図３９】本発明の複合複写装置におけるファイル形式変換アルゴリズムを説明する変換アルゴリズム表である。
【図４０】本発明の複合複写装置におけるファイル形式変換アルゴリズムを説明する変換アルゴリズム表である。
【図４１】ＰＤＦフォーマットの概要を示す図である。
【図４２】図４１に示したＰＤＦ内の「二回目のＰａｇｅｓ」の具体例を示す図である。
【図４３】図４１に示したＰＤＦ内の「二回目のＣｒｏｓｓ　Ｒｅｆｅｒｅｎｃｅ」の具体例を示す図である。
【図４４】図４１に示したＰＤＦ内の「二回目のＴｒａｉｌｅｒ」の具体例を示す図である。
【図４５】本発明の複合複写装置における第４の制御処理手順の一例を示すフローチャートである。
【図４６】本発明に係る複写装置で読み出し可能な各種データ処理プログラムを格納する記憶媒体のメモリマップを説明する模式図である。
【符号の説明】
２０００　コントローラユニット
２００１　ＣＰＵ
２００２　ＲＡＭ
２００３　ＲＯＭ
２００４　ＨＤＤ
２０７０　スキャナ
２０９５　プリンタ
６０１−１　操作部コンポーネント
６０１−０　送信管理コンポーネント
６０１−２　宛先管理コンポーネント
６０１−３　ジョブ管理コンポーネント
６０１−４　スキャナ管理コンポーネント
６０１−５　プリントコンポーネント
６０１−６　ファクシミリ送信コンポーネント
６０１−７　ファイルサーバ送信コンポーネント
６０１−８　メール送信コンポーネント
【図１】
2004072166.tif 000003
【図２】
2004072166.tif 000004
【図３】
2004072166.tif 000005
【図４】
2004072166.tif 000006
【図５】
2004072166.tif 000007
【図６】
2004072166.tif 000008
【図７】
2004072166.tif 000009
【図８】
2004072166.tif 000010
【図９】
2004072166.tif 000011
【図１０】
2004072166.tif 000012
【図１１】
2004072166.tif 000013
【図１２】
2004072166.tif 000014
【図１３】
2004072166.tif 000015
【図１４】
2004072166.tif 000016
【図１５】
2004072166.tif 000017
【図１６】
2004072166.tif 000018
【図１７】
2004072166.tif 000019
【図１８】
2004072166.tif 000020
【図１９】
2004072166.tif 000021
【図２０】
2004072166.tif 000022
【図２１】
2004072166.tif 000023
【図２２】
2004072166.tif 000024
【図２３】
2004072166.tif 000025
【図２４】
2004072166.tif 000026
【図２５】
2004072166.tif 000027
【図２６】
2004072166.tif 000028
【図２７】
2004072166.tif 000029
【図２８】
2004072166.tif 000030
【図２９】
2004072166.tif 000031
【図３０】
2004072166.tif 000032
【図３１】
2004072166.tif 000033
【図３２】
2004072166.tif 000034
【図３３】
2004072166.tif 000035
【図３４】
2004072166.tif 000036
【図３５】
2004072166.tif 000037
【図３６】
2004072166.tif 000038
【図３７】
2004072166.tif 000039
【図３８】
2004072166.tif 000040
【図３９】
2004072166.tif 000041
【図４０】
2004072166.tif 000042
【図４１】
2004072166.tif 000043
【図４２】
2004072166.tif 000044
【図４３】
2004072166.tif 000045
【図４４】
2004072166.tif 000046
【図４５】
2004072166.tif 000047
【図４６】
2004072166.tif 000048